(57)【特許請求の範囲】
【請求項１】
コンテンツ提供装置が生成したコンテンツと、上記コンテンツ提供装置にて入力され上記コンテンツと対応付けられているユーザの宛先とを受信する受信部と、
上記コンテンツおよび上記ユーザの宛先を対応付けて一時保存部に一時的に保存させる実行部と、
上記コンテンツが、各ユーザ用の記憶領域に保存されたか否かを判定する保存状態判定部と、
上記ユーザの宛先に対応するユーザに応じた配信タイミングを決定する配信タイミング決定部と、
上記保存状態判定部が上記コンテンツが上記各ユーザ用の記憶領域に保存されていないと判定した場合、上記配信タイミング決定部が決定した配信タイミングで、上記コンテンツに対応する上記ユーザの宛先に上記コンテンツの保存状態を通知する送信部とを備え、
上記受信部はさらに上記ユーザの属性を示す属性情報を受信し、
上記実行部は、上記コンテンツおよび上記ユーザの宛先に上記属性情報を対応付けて記憶部に保存し、
上記属性情報の示す属性に基づいて、上記ユーザの種類を決定するユーザ種類決定部をさらに備え、
上記配信タイミング決定部は、上記ユーザの種類に対応する配信タイミングを決定することを特徴とする管理装置。
【請求項２】
上記属性は、上記ユーザの年齢、職業および性別の少なくとも何れかであることを特徴とする請求項１に記載の管理装置。
【請求項３】
上記送信部は、上記コンテンツが生成された日に、上記通知を送信することを特徴とする請求項１または２に記載の管理装置。
【請求項４】
上記一時保存部における上記コンテンツの一時保存期間が経過したか否かを判定する保存期間判定部をさらに備え、
上記保存期間判定部が、上記コンテンツの一時保存期間が経過したと判定した場合、上記送信部は、上記通知を送信しないことを特徴とする請求項１〜３の何れか１項に記載の管理装置。
【請求項５】
上記配信タイミング決定部が決定する配信タイミングは、所定の基準タイミングとの差分で表されることを特徴とする請求項１〜４の何れか１項に記載の管理装置。
【請求項６】
上記送信部は、上記ユーザの宛先に対応するユーザの会員状態に応じて、異なる通知を送信することを特徴とする請求項１〜５の何れか１項に記載の管理装置。
【請求項７】
上記会員状態は、有料会員、無料会員および非会員を含むことを特徴とする請求項６に記載の管理装置。
【請求項８】
上記属性情報の示す上記ユーザの属性、または、上記ユーザ種類決定部が決定した上記ユーザの種類に応じて、当該ユーザに対する課金額を決定する課金額決定部をさらに備え
ることを特徴とする請求項１または２に記載の管理装置。
【請求項９】
上記受信部は、上記ユーザの通信端末から上記属性情報を受信することを特徴とする請求項１、２、または８に記載の管理装置。
【請求項１０】
コンテンツ提供装置が生成したコンテンツと、上記コンテンツ提供装置にて入力され上記コンテンツと対応付けられているユーザの宛先とを受信する受信ステップと、
上記コンテンツおよび上記ユーザの宛先を対応付けて一時保存部に一時的に保存させる実行ステップと、
上記コンテンツが、各ユーザ用の記憶領域に保存されたか否かを判定する保存状態判定ステップと、
上記ユーザの宛先に対応するユーザに応じた配信タイミングを決定する配信タイミング決定ステップと、
上記保存状態判定ステップにおいて上記コンテンツが上記各ユーザ用の記憶領域に保存されていないと判定された場合、上記配信タイミング決定ステップにおいて決定された配信タイミングで、上記コンテンツに対応する上記ユーザの宛先に上記コンテンツの保存状態を通知する送信ステップとを含み、
上記受信ステップにてさらに上記ユーザの属性を示す属性情報を受信し、
上記実行ステップにて、上記コンテンツおよび上記ユーザの宛先に上記属性情報を対応付けて記憶部に保存し、
上記属性情報の示す属性に基づいて、上記ユーザの種類を決定するユーザ種類決定ステップをさらに含み、
上記配信タイミング決定ステップにて、上記ユーザの種類に対応する配信タイミングを決定することを特徴とする、管理装置の制御方法。
【発明の詳細な説明】
【技術分野】
【０００１】
本発明は、メールアドレスとコンテンツとを対応付けて記憶することでコンテンツを管理する管理装置、当該管理装置を含むメール送信システムおよび当該管理装置の制御方法に関する。
【背景技術】
【０００２】
従来、写真シール作成装置を利用してゲームしたユーザに写真シールを提供するだけでなく、撮影画像をユーザの通信端末に提供するサービスがある。
【０００３】
撮影画像をユーザの通信端末に提供するサービスは、一般的に、以下の順序で行われる。
【０００４】
写真シール作成装置は、ユーザによるメールアドレスの入力を受け付けて、当該メールアドレスと撮影画像とをサーバに送信する。
【０００５】
ユーザによって入力されたメールアドレスと撮影画像とを受信したサーバは、撮影画像を記憶し、撮影画像がサーバに届いたことを通知するメールを当該メールアドレス宛てに送信する。サーバに蓄積される撮影画像の増大によるサーバの容量不足を未然に防ぐため、撮影画像は一定期間保存されたのちに消去される。
【０００６】
サーバが送信した上記通知メールにはＵＲＬが示されており、ユーザが通信端末から当該ＵＲＬにアクセスすると撮影画像のサムネイルが当該通信端末に表示される。ユーザが会員登録者であれば、ユーザは上記サムネイルを選択することにより解像度の高い撮影画像を表示させることが可能であり、上述した一定期間の保存を行う記憶領域とは異なる各ユーザ用の記憶領域（各ユーザの通信端末の記憶領域を含む）に当該撮影画像を保存することができる。
【０００７】
上述したように、サーバによって一時保存された撮影画像は、一定期間保存されたのちに消去される。
【０００８】
そのため、一定期間内にユーザが撮影画像を各ユーザ用の記憶領域に保存することを忘れると、撮影画像がサーバから削除され、ユーザは当該撮影画像を閲覧することができなくなってしまう。
【０００９】
一方、特許文献１においては、オブジェクトの保存期限の管理、およびそのオブジェクトの保存期限が到来した場合の処理を自動的に行うことができるようにし、これにより操作者にとって真に不要なオブジェクトのみを削除することを目的とした期限切れオブジェクトの処理プログラムおよびシステムが開示されている。
【００１０】
詳細には、特許文献１に記載のシステムは、オブジェクトの属性として、そのオブジェクトのＩＤ、そのオブジェクトが登録されている登録場所、そのオブジェクトの保存期限およびそのオブジェクトの保存期限が到来した場合の処理を示すルールを記憶する属性記憶機能と、前記属性記憶機能によって記憶されている保存期限が到来した場合に、前記ルールに従って、そのオブジェクトを処理する期限切れ処理機能と、を有している。
【先行技術文献】
【特許文献】
【００１１】
【特許文献１】特開２００７−１０９１１５号公報（２００７年４月２８日公開）
【発明の概要】
【発明が解決しようとする課題】
【００１２】
特許文献１には、さらに、上記ルールとして保存期限が到来したことをメール等によって操作者に知らせることが開示されている。
【００１３】
上述のような従来技術においては、オブジェクトの保存期限が到来した時に、その旨を操作者に知らせる構成である。したがって、例えば、上記撮影画像を保存するサーバにおいて上述のような従来技術を適用した場合、撮影画像の保存期限が到来する前に、ユーザに対してメールを送信することができない。すなわち、撮影画像の保存忘れを防止することができない。そこで、撮影画像等のコンテンツの保存忘れを防止するために、保存期限が到来する前にユーザに通知のメールを送信することが考えられる。
【００１４】
しかしながら、ユーザの生活習慣は様々であるため、みだりにメールを送信した場合、メールの開封率、または、メールの案内通りに行動を起こす割合が低くなってしまう。そのため、ユーザによるコンテンツの保存忘れを効果的に防止することができないという問題が生じる。
【００１５】
本発明は上記の課題を解決するためになされたものである。そして、その目的は、撮影画像等のコンテンツの保存を行っていないユーザによるコンテンツの保存忘れを効果的に防止できる管理装置、メール送信システムおよび管理装置の制御方法を提供することにある。
【課題を解決するための手段】
【００１６】
上記の課題を解決するために、本発明に係る管理装置は、コンテンツ提供装置が生成したコンテンツと、上記コンテンツ提供装置にて入力され上記コンテンツと対応付けられているメールアドレスとを受信する受信部と、上記コンテンツおよび上記メールアドレスを対応付けて一時保存部に一時的に保存させる実行部と、上記コンテンツが、各ユーザ用の記憶領域に保存されたか否かを判定する保存状態判定部と、上記メールアドレスに対応するユーザに応じた配信タイミングを決定する配信タイミング決定部と、上記保存状態判定部が上記コンテンツが上記各ユーザ用の記憶領域に保存されていないと判定した場合、上記配信タイミング決定部が決定した配信タイミングで、上記コンテンツに対応する上記メールアドレス宛てに上記コンテンツの保存状態を通知するメールを送信する送信部とを備えている。
【００１７】
また、上記の課題を解決するために、本発明に係る管理装置の制御方法は、コンテンツ提供装置が生成したコンテンツと、上記コンテンツ提供装置にて入力され上記コンテンツと対応付けられているメールアドレスとを受信する受信ステップと、上記コンテンツおよび上記メールアドレスを対応付けて一時保存部に一時的に保存させる実行ステップと、上記コンテンツが、各ユーザ用の記憶領域に保存されたか否かを判定する保存状態判定ステップと、上記メールアドレスに対応するユーザに応じた配信タイミングを決定する配信タイミング決定ステップと、上記保存状態判定ステップにおいて上記コンテンツが上記各ユーザ用の記憶領域に保存されていないと判定された場合、上記配信タイミング決定ステップにおいて決定された配信タイミングで、上記コンテンツに対応する上記メールアドレス宛てに上記コンテンツの保存状態を通知するメールを送信する送信ステップとを含んでいる。
【００１８】
上記の構成によると、コンテンツの一時保存期限が到来する時点よりも前に、各ユーザ用の記憶領域に未保存のコンテンツに対応するメールアドレス宛てにコンテンツの保存状態を通知するメールが送信される。したがって、ユーザは各ユーザ用の記憶領域に未保存のコンテンツの一時保存部における一時保存期限が迫っていることを認識することができる。よって、ユーザの上記未保存のコンテンツの保存忘れを防止することができる。
【００１９】
本発明に係る管理装置は、さらに、ユーザに応じた配信タイミングで上記メールを送信するため、ユーザの生活習慣（生活リズム）に合わせたタイミングでメールを送信することができる。そのため、ユーザのメールの開封率およびユーザの画像保存の実行率を向上させ、ユーザのコンテンツの保存忘れを効果的に抑制することができるという効果を奏する。
【００２０】
また、本発明に係る管理装置において、上記受信部はさらに上記ユーザの属性を示す属性情報を受信し、上記実行部は、上記コンテンツおよび上記メールアドレスに上記属性情報を対応付けて上記一時保存部に保存し、上記属性情報の示す属性に基づいて、上記ユーザの種類を決定するユーザ種類決定部をさらに備え、上記配信タイミング決定部は、上記ユーザの種類に対応する配信タイミングを決定してもよい。
【００２１】
上記の構成によれば、ユーザの種類に応じた配信タイミングで上記メールを送信するため、ユーザの種類ごとに、生活習慣に合わせたタイミングでメールを送信することができる。
【００２２】
また、本発明に係る管理装置において、上記配信タイミング決定部は、上記ユーザの生活習慣を推定するためのマーケティングデータに基づいて、上記ユーザに応じた配信タイミングを決定してもよい。
【００２３】
上記の構成によれば、個々のユーザの生活習慣に合わせた配信タイミングを決定することができる。
【００２４】
また、本発明に係る管理装置において、上記属性は、上記ユーザの年齢、職業および性別の少なくとも何れかであってよい。
【００２５】
上記の構成によれば、上記ユーザ種類決定部は、上記ユーザを、年齢、職業および性別の少なくとも何れかによって分類することができる。
【００２６】
また、本発明に係る管理装置において、上記送信部は、上記コンテンツが生成された日に、上記メールを送信してもよい。
【００２７】
上記の構成によれば、ユーザがコンテンツ提供装置で上記コンテンツを作成した当日に上記メールを送信する。そのため、ユーザは、コンテンツ提供装置でゲームした記憶がより鮮明であるタイミングで上記メールを受け取ることができる。そのため、上記メールの開封率およびユーザの画像保存の実行率をさらに向上させることができる。
【００２８】
本発明に係る管理装置は、上記一時保存部における上記コンテンツの一時保存期間が経過したか否かを判定する保存期間判定部をさらに備え、上記保存期間判定部が、上記コンテンツの一時保存期間が経過したと判定した場合、上記送信部は、上記メールを送信しなくてもよい。
【００２９】
上記の構成によれば、一時保存期間が経過したことによりコンテンツを各ユーザ用の記憶領域に保存不可能な場合は、ユーザにメールを送信しない。そのため、ユーザが不要なメールを受け取ることによる煩わしさを感じさせずにすむことができる。
【００３０】
本発明に係る管理装置において、上記配信タイミング決定部が決定する配信タイミングは、所定の基準タイミングとの差分で表されてもよい。
【００３１】
本発明に係る管理装置において、上記送信部は、上記メールアドレスに対応するユーザの会員状態に応じて、異なるメールを送信してもよい。
【００３２】
上記の構成によれば、会員状態に合わせた適切なメールを送信することができる。そのため、ユーザに必要な情報だけが通知されるため、上記メールの開封率およびユーザの画像保存の実行率をさらに向上させることができる。
【００３３】
本発明に係る管理装置において、上記会員状態は、有料会員、無料会員および非会員を含んでいてもよい。
【００３４】
上記の構成によれば、上記送信部は、有料会員、無料会員および非会員に対して、それぞれ、会員状態に適したメールを送信することができる。
【００３５】
本発明に係る管理装置は、上記属性情報の示す上記ユーザの属性、または、上記ユーザ種類決定部が決定した上記ユーザの種類に応じて、当該ユーザに対する課金額を決定する課金額決定部をさらに備えてもよい。
【００３６】
上記の構成によれば、ユーザの属性または種類に合わせた適切な課金額を決定することができる。そのため、ユーザの属性または種類毎に、生活水準に合わせた課金額を提示することができ、ユーザのコンテンツの保存を促進することができる。
【００３７】
本発明に係る管理装置において、上記受信部は、上記ユーザの通信端末から上記属性情報を受信してもよい。
【００３８】
上記の構成によれば、例えば上記通信端末が上記属性情報を保持している場合、ユーザが属性を入力することなく、上記管理装置は上記属性情報を取得することができる。そのため、ユーザの誤入力を防ぎ、ユーザが入力した情報が誤っていることに起因して配信タイミングを誤って決定することを防ぐことができる。
【００３９】
本発明の各態様に係る管理装置は、コンピュータによって実現してもよく、この場合には、コンピュータを上記管理装置が備える各手段として動作させることにより上記管理装置をコンピュータにて実現させる管理装置の制御プログラム、およびそれを記録したコンピュータ読み取り可能な記録媒体も、本発明の範疇に入る。
【発明の効果】
【００４０】
本発明の一態様によれば、各ユーザ用の記憶領域にコンテンツの保存を行っていないユーザによるコンテンツの保存忘れを効果的に防止できるという効果を奏する。
【図面の簡単な説明】
【００４１】
【図１】本発明の実施形態１に係る管理サーバの要部構成を示すブロック図である。
【図２】本発明の実施形態１に係るメール送信システムの要部構成を示す概略図である。
【図３】本発明の実施形態１に係る写真シール作成装置の外観の構成例を示す斜視図である。
【図４】本発明の実施形態１に係る写真シール作成装置の要部構成を示すブロック図である。
【図５】本発明の実施形態１に係る携帯端末の要部構成を示すブロック図である。
【図６】本発明の実施形態１におけるメール送信処理の流れの一例を示すシーケンス図である。
【図７】本発明の実施形態１に係る写真シール作成装置における表示画面の一例を示す図である。（ａ）はユーザが画像を選択するための表示画面の一例を示す図であり、（ｂ）はユーザがメールアドレスを入力するための表示画面の一例を示す図である。
【図８】本発明の実施形態１に係る写真シール作成装置において、属性の入力時に表示される表示画面の一例を示す図である。
【図９】実施形態１に係る保存忘れ通知処理の流れの一例を示すフローチャートである。
【図１０】実施形態１に係る会員別通知メール送信処理の流れの一例を示すフローチャートである。
【図１１】（ａ）〜（ｄ）は、実施形態１に係る携帯端末の表示部に表示される画面遷移図の一例を示す図である。
【図１２】（ａ）および（ｂ）は、実施形態１に係る携帯端末の表示部に表示される画面遷移図の他の一例を示す図である。
【図１３】（ａ）および（ｂ）は、実施形態１に係る携帯端末の表示部に表示される画面遷移図のさらに他の一例を示す図である。
【図１４】ユーザの属性とユーザの種類との対応関係を示すユーザ分類情報の一例を示す図である。
【図１５】ユーザの種類に応じたメールの配信時間を示す配信時間情報の一例を示す図である。
【図１６】変形例１に係る携帯端末の表示部に表示される画像の一例を示す図である。
【図１７】変形例２に係る保存忘れ通知処理の流れの一例を示すフローチャートである。
【図１８】変形例３に係る保存忘れ通知処理の流れの一例を示すフローチャートである。
【図１９】変形例４に係る保存忘れ通知処理の流れの一例を示すフローチャートである。
【図２０】変形例５に係る保存忘れ通知処理の流れの一例を示すフローチャートである。
【図２１】変形例６に係る管理サーバの要部構成を示すブロック図である。
【図２２】変形例６に係る課金額決定処理の流れの一例を示すフローチャートである。
【発明を実施するための形態】
【００４２】
本発明の実施の形態について、図１〜１７に基づいて説明すれば以下のとおりである。以下の特定の実施形態で説明する構成以外の構成については、必要に応じて説明を省略する場合があるが、他の実施形態（変形例）で説明されている場合は、その構成と同じである。また、説明の便宜上、各実施形態において同一の機能を有する部材については、同一の符号を付し、適宜その説明を省略する。さらに、各図面に記載した部材の形状、ならびに、長さ、奥行および幅などの寸法は、実際の形状や寸法を反映させたものではなく、図面の明瞭化と簡略化のために適宜変更している。
【００４３】
〔実施形態〕
以下、本発明に係る管理装置、コンテンツ提供装置、通信端末、およびメール送信システムの一態様として、図１〜図１５に基づき、管理サーバ（管理装置）２、写真シール作成装置（コンテンツ提供装置）４、携帯端末（通信端末）３、およびメール送信システム１について、それぞれ詳細に説明する。また、本実施形態における「コンテンツ」とは、写真シール作成装置４にて撮影された写真データ（撮影画像または撮影画像データ）を含む。さらに、「コンテンツ」は、撮影画像の少なくとも一部を用いて生成された画像データ（静止画像および動画を含む）、並びに、撮影画像に対して合成された音データおよびテキストデータ等を含む。なお、本発明に係る管理装置、コンテンツ提供装置、通信端末、およびメール送信システムは、上記の態様に限定されるものではない。例えば、通信端末は、携帯電話機、スマートフォン、タブレット端末等の携帯端末に限らず、デスクトップ型またはノートブック型のＰＣ等の通信端末であってよい。
【００４４】
（メール送信システム１）
図２は、本発明の実施形態１に係るメール送信システム１の要部構成を示す概略図である。図２に示すように、メール送信システム１は、管理サーバ２、写真シール作成装置４、および携帯端末３を備えている。
【００４５】
ここで、メール送信システム１の概要を説明する。まず、ユーザは、写真シール作成装置４で作成した撮影画像を携帯端末３で取得するために、写真シール作成装置４にメールアドレスを入力する。さらに、ユーザは、自身の年齢、職業、性別等の属性を入力する。写真シール作成装置４は、撮影画像（撮影画像データ）と、上記メールアドレスと、撮影画像を識別するための情報である撮影画像情報（コンテンツ識別情報）と、ユーザの属性を示す属性情報とをそれぞれ対応付けて管理サーバ２に送信する。なお、上記メールアドレスはメールの宛先としての通常のメールアドレスだけでなく、通知を送信するためのユーザの宛先を示すものである。ここで、「ユーザの宛先」とは、携帯端末３にインストールされた、通知機能を持つアプリケーション（アプリ）またはサービスにおいてユーザを特定する情報である。より具体的には、ユーザの宛先とは、チャットアプリ、メッセージアプリ、ＳＮＳ、電子掲示板、およびＳＭＳ（ショートメールメッセージ）などのアカウントＩＤなどである。なお、上記通知の送信は、上述したアプリケーションまたはサービスのタイムラインやウォールと呼ばれるＳＮＳの投稿ページに対する記事の投稿（いわゆるフィード）であっても構わない。
【００４６】
なお、ユーザが会員の場合、管理サーバ２に既にメールアドレスが格納されているため、メールアドレスに代えて会員ＩＤやニックネーム等のユーザ識別情報を入力させてもよい。また、ユーザが会員であり、既に属性情報が管理サーバ２に格納されている場合、属性の入力も省略してもよい。これらの場合、写真シール作成装置４は、会員ＩＤ等のユーザ識別情報に撮影画像および撮影画像情報を対応付けて管理サーバ２に送信する。
【００４７】
また、ユーザが会員ＩＤ等のユーザ識別情報を入力し、写真シール作成装置４において既に入力した情報をユーザに更新させる場合、写真シール作成装置４は、入力されたユーザ識別情報に対応付けられているメールアドレスおよび属性情報等を管理サーバ２から取得し、当該メールアドレスおよび属性情報等を表示してもよい。
【００４８】
メールアドレス（または会員ＩＤ等のユーザ識別情報）、撮影画像、撮影画像情報、属性情報等は、互いに対応付けられていることが好ましいが、少なくとも、メールアドレス（または会員ＩＤ等のユーザ識別情報）と、その他の情報（撮影画像、撮影画像情報、属性情報等）とが対応付けられていればよい。
【００４９】
また、ユーザは、写真シール作成装置４に複数のメールアドレスを入力してもよい。この場合、写真シール作成装置４は、撮影画像に複数のメールアドレス、撮影画像情報および属性情報を対応付けて、当該撮影画像を管理サーバ２に送信する。また、ユーザがメールアドレスや属性情報などのユーザに対応する情報を入力しなかった場合、写真シール作成装置４は、撮影画像に撮影画像情報を対応付けて、当該撮影画像を管理サーバ２に送信する。
【００５０】
ここで、「撮影画像」とは、写真シール作成装置４が撮影した画像だけではなく、写真シール作成装置４が撮影した画像を編集した編集後の画像も含む。また、「撮影画像情報」の例として、画像のファイル名や画像に付与されるＩＤ（後述するシールＩＤ）などが挙げられる。なお、そのほかの情報を撮影画像とともに管理サーバ２に送信してもよい。
【００５１】
また、本実施形態では、写真シール作成装置４が撮影画像情報として、シールＩＤを送信するものとして説明する。ここで、シールＩＤとは、写真シール作成装置４が１回のプレイ（ゲーム）で生成した１または複数の撮影画像を示す識別情報である。この場合、写真シール作成装置は、１プレイで作成した１または複数の撮影画像を示すシールＩＤに、ユーザが入力したメールアドレスを対応付ける。そして、写真シール作成装置４は、１プレイで生成した１または複数の撮影画像と、当該１または複数の撮影画像を示すシールＩＤと、当該シールＩＤに対応付けたメールアドレスと、属性情報とを管理サーバ２に送信する。
【００５２】
ここで、管理サーバ２は写真シール作成装置４から撮影画像を受信すると、ひとまず一時保存部２４１（図１に図示）に保存する。管理サーバ２に蓄積される撮影画像の増大による管理サーバ２の容量不足を未然に防ぐため、管理サーバ２は、受信した撮影画像を一時保存部２４１に一定期間保存したのちに消去する。したがって、上記一定期間後にユーザが撮影画像を閲覧するためには、管理サーバ２の一定期間の保存を行う一時保存部２４１とは異なる記憶領域に撮影画像を保存する必要がある。
【００５３】
管理サーバ２は、上記一時保存部２４１に記憶されている撮影画像が、管理サーバ２が一時的に保存を行う一時保存部２４１とは異なる記憶領域に保存されたか否かを判定する。
【００５４】
また、管理サーバ２は、ユーザの属性情報を受信すると、属性情報の示す属性に基づいて、当該ユーザを分類し、当該ユーザの種類を決定する。そして、管理サーバ２は、決定したユーザの種類に応じたメールの配信タイミングを決定する。
【００５５】
管理サーバ２は、上記撮影画像が一時保存部２４１以外の記憶領域に保存されていない場合、上記で決定した配信タイミングに、上記撮影画像に対応するメールアドレス宛てに撮影画像が一時保存部２４１以外の記憶領域に保存されていない旨を通知するメールを送信する。なお、上記メールアドレスが上述したユーザの宛先を示す場合、上記メールアドレス宛てのメールは、上記ユーザの宛先に向けての通知であってもよい。また、当該通知は、上記ユーザの宛先に対応する上述のアプリまたはサービスにユーザが自発的にアクセスすることで受信されるプル通知であってもよいし、上記アプリまたはサービスにユーザが自発的にアクセスしなくとも受信されるプッシュ通知であってもよい。
【００５６】
具体的には、管理サーバ２は、メールアドレスに対応付けられた撮影画像を取得するためのウェブページのＵＲＬ（コンテンツ取得情報）または当該ウェブページへのリンク付きの表示画像（撮影画像のサムネイル）を含むメールを、当該メールアドレス宛てに送信する。ユーザは、携帯端末３でメールを受け取ると、上記ウェブページにアクセスするために携帯端末３を操作してＵＲＬまたはリンクを選択（押下）する。管理サーバ２は、ユーザの上記ウェブページへのアクセス要求（コンテンツ取得要求）を受けて、携帯端末３に、撮影画像を取得または保存するためのウェブページを送信する。
【００５７】
以上により、管理サーバ２は、ユーザの生活習慣に合わせて適切なタイミングでメールを配信するため、一時保存部２４１以外の記憶領域に撮影画像を保存していないユーザの保存忘れを効果的に防止することができる。
【００５８】
（管理サーバ２）
次に、図１を参照して、管理サーバ２について説明する。図１は、本発明の実施形態１に係る管理サーバ２の要部構成を示すブロック図である。図１に示すように、管理サーバ２は、通信部２１、制御部２２および記憶部２４を備えている。また、制御部２２は、受信部２２１、画像一時保存実行部２２２、判定部２２４、メール作成部２２５、送信部２２６、ユーザ指示実行部２２７、表示ページ作成部２２８、ユーザ種類決定部２３０および配信時間決定部２３１を備えている。
【００５９】
（通信部２１）
通信部２１は、写真シール作成装置４および携帯端末３と通信を行う通信デバイスである。具体的には、通信部２１は、写真シール作成装置４から撮影画像、撮影画像のシールＩＤ、ユーザが入力したメールアドレスおよび属性情報を受信し、後述する受信部２２１に出力する。また、通信部２１は、後述するメール作成部２２５が作成したメールを、ユーザが入力したメールアドレス宛てに送信する。さらに、通信部２１は、携帯端末３に、画像提供サイトの各ウェブページを送信する。
【００６０】
（受信部２２１）
受信部２２１は、通信部２１が写真シール作成装置４および携帯端末３から受信した各種情報を受け取り、各部に出力する。例えば、受信部２２１は、撮影画像、撮影画像のシールＩＤ、ユーザが入力したメールアドレスおよび属性情報を受け取り、画像一時保存実行部２２２に出力する。また、受信部２２１は、ユーザが入力したメールアドレス宛てに送信されたメールに含まれるＵＲＬ（またはリンク付き表示画像）が、携帯端末３にて選択されたことを示す情報を受け取り、ユーザ指示実行部２２７に出力する。
【００６１】
また、携帯端末３にて行われたユーザからの撮影画像の保存の指示をユーザ指示実行部２２７に出力する。
【００６２】
（画像一時保存実行部２２２）
画像一時保存実行部（実行部）２２２は、受信部２２１から撮影画像、撮影画像情報、メールアドレスおよび属性情報を受け取り、一時保存部２４１に上記撮影画像、撮影画像情報、メールアドレスおよび属性情報を格納する。具体的には、画像一時保存実行部２２２は、同一プレイで生成された１または複数の撮影画像と、当該１または複数の撮影画像を示すシールＩＤと、当該シールＩＤに対応付けられたメールアドレスと、当該メールアドレスに対応するユーザの属性を示す属性情報とを、それぞれ対応付けて、一時保存部２４１に格納する。画像一時保存実行部２２２は、格納した撮影画像に対応するメールアドレスおよびシールＩＤをメール作成部２２５に出力する。
【００６３】
ここで、画像一時保存実行部２２２は、撮影画像の受け取り時に、撮影画像に対応するメールアドレスがあるか否かを判定してもよい。撮影画像に対応するメールアドレスがない場合においては、受け取った撮影画像を画像一時保存実行部２２２に格納しない構成であってもよい。
【００６４】
（判定部２２４）
判定部２２４は、保存期間判定部２２４ａ、アドレス数判定部２２４ｂ、保存状態判定部２２４ｃ、会員状態判定部２２４ｄ等を備えている。
【００６５】
（保存期間判定部２２４ａ）
保存期間判定部２２４ａは、撮影画像が一時保存部２４１に一時的に保存される期間である一時保存期間が経過したか否かを判定する。一時保存期間は、例えば、１週間である。保存期間判定部２２４ａは、一時保存期間が経過していない場合、当該撮影画像に対応するシールＩＤを保存状態判定部２２４ｃに出力する。
【００６６】
また、保存期間判定部２２４ａは、一時保存部２４１に格納された撮影画像の残存保存期間が所定の長さの期間より短いか否かを判定してもよい。保存期間判定部２２４ａは、残存保存期間が所定の長さの期間より短い場合、当該撮影画像に対応するシールＩＤを保存状態判定部２２４ｃに出力する。残存保存期間とは、当該撮影画像が一時保存部２４１に一時的に保存される残りの期間であり、換言すると、当該撮影画像が一時保存部２４１から消去されるまでの残りの期間である。
【００６７】
（アドレス数判定部２２４ｂ）
アドレス数判定部２２４ｂはシールＩＤに対し入力されたメールアドレスの数が２つ以上であるか否かを判定し、判定した結果およびシールＩＤを保存状態判定部２２４ｃに出力する。
【００６８】
詳細には、例えば、アドレス数判定部２２４ｂは、一時保存部２４１に保存されているシールＩＤに対応するメールアドレスデータを検出し、上記メールアドレス数の判定を行ってもよい。
【００６９】
（保存状態判定部２２４ｃ）
保存状態判定部２２４ｃは、撮影画像に対応するシールＩＤを受け取って、ユーザが当該シールＩＤに対応する撮影画像を各ユーザ用の記憶領域に保存済であるか否かを判定する。例えば、保存状態判定部２２４ｃは、シールＩＤの示す各撮影画像が、当該シールＩＤに対応付けられたメールアドレスに対応するユーザのユーザ用の記憶領域に保存されているか否かを判定してもよい。
【００７０】
例えば、保存状態判定部２２４ｃは、後述の保存情報を参照して、撮影画像がユーザ用の記憶領域に保存済であるか否かを判定してもよい。ここで、ユーザ用の記憶領域は、例えば、管理サーバ２が備える記憶部２４内の一時保存部２４１とは異なる記憶領域、管理サーバ２が参照可能な外部の記憶装置、および、ユーザの所有する携帯端末のメモリである。具体的には、画像提供サイトもしくはアプリケーションからアクセス可能な、ウェブ上のユーザの専用ページ（マイページ）に撮影画像が保存された場合、以下の２つの態様がある。第１の態様は、マイページに撮影画像が埋め込まれている場合である。第２の態様は、マイページに撮影画像を参照するリンクが記述されており、リンクを参照してマイページ上に撮影画像を表示する場合である。前者の場合、例えば、当該撮影画像が埋め込まれたマイページを格納するサイト情報格納部２４５がユーザ用の記憶領域に相当する。後者の場合、例えば、参照される撮影画像が格納されている記憶部２４内の上記記憶領域（または外部の記憶装置）がユーザ用の記憶領域に相当する。なお、この場合、記憶部２４内の上記記憶領域（または外部の記憶装置）内に、各ユーザ個人の記憶領域を作成し、ユーザ個人の記憶領域に当該ユーザの撮影画像を格納してもよいし、記憶部２４内の上記記憶領域（または外部の記憶装置）を各ユーザ共有の記憶領域として、当該記憶領域に撮影画像を格納してもよい。
【００７１】
保存状態判定部２２４ｃが、当該撮影画像が各ユーザ用の記憶領域に保存済でないと判定した場合、当該撮影画像に対応するメールアドレスを一時保存部２４１から取得し、会員状態判定部２２４ｄに出力する。
【００７２】
また、保存状態判定部２２４ｃは、１つのシールＩＤの撮影画像に対応するメールアドレスが２つ以上あるという結果をアドレス数判定部２２４ｂから受けとった場合、少なくとも１つのメールアドレスに対応するユーザによって撮影画像が保存済であるか否かを判定してもよい。少なくとも１つのメールアドレスのユーザによって当該撮影画像が保存済である場合、保存状態判定部２２４ｃは当該撮影画像に対応するメールアドレスを会員状態判定部２２４ｄに出力しなくてもよいし、または、保存を行ったユーザ以外のユーザの当該撮影画像に対応するメールアドレスを会員状態判定部２２４ｄに出力してもよい。
【００７３】
（会員状態判定部２２４ｄ）
会員状態判定部２２４ｄは、会員別通知メール送信処理を行う。会員状態判定部２２４ｄは、保存状態判定部２２４ｃからメールアドレスを受け取ると、会員状態情報格納部２４３に格納されている会員状態情報を参照して、受け取ったメールアドレスに対応するユーザが会員であるか否か、または、有料会員であるか否かを判定する。ここで、会員は、無料会員および有料会員を含む。
【００７４】
会員状態判定部２２４ｄは、メール作成部２２５にメールアドレスおよび当該メールアドレスに対応するユーザの会員状態情報（ユーザが非会員、無料会員または有料会員であるという情報等）を出力する。
【００７５】
（メール作成部２２５）
メール作成部２２５は、ユーザが入力したメールアドレス宛てに送信するメールを作成するものである。具体的には、メール作成部２２５は、画像一時保存実行部２２２からユーザが入力したメールアドレスを受信すると、ユーザが入力したメールアドレス宛ての通知メールを作成する。当該通知メールには一時保存された撮影画像を各ユーザ用の記憶領域に保存するためのウェブページのＵＲＬ（または当該ウェブページへのリンク付き表示画像）が含まれており、ユーザは当該ＵＲＬを選択することで、撮影画像を保存またはダウンロードすることができる。なお、上記ウェブページのＵＲＬは、例えば、表示ページ作成部２２８から取得する。メール作成部２２５は、作成した当該メールを送信部２２６に出力し、通信部２１を介してユーザが入力したメールアドレス宛てに当該メールを送信させる。
【００７６】
また、上記通知メールに上記ＵＲＬが記載されておらず、上記通知メールは、単に撮影画像の保存状態を通知するメールであってもよい。また、上記通知メールに、画像提供サイトを閲覧するためのアプリケーションを起動させるリンクが含まれていてもよい。
【００７７】
ここで、通知メールは、撮影画像がまだユーザ用の記憶領域に保存されていないこと（撮影画像の一時保存期限）を通知する保存忘れ通知メールと、写真シール作成装置４でゲームが終了した後、直ぐに送信される、撮影画像の保存方法等を案内する撮影画像保存案内メールとを含む。さらに、保存忘れ通知メールは、ユーザが写真シール作成装置４で撮影画像を作成した当日に送信される「当日の保存忘れ通知メール」と、一時保存期間の経過前に送信される「一時保存期間経過前の保存忘れ通知メール」（期限切れ通知メール）とを含む。なお、保存忘れ通知メールおよび撮影画像保存案内メールは、それぞれメールの送信タイミングやメールは明らかに異なるが、メールの内容は同じであってもよい。例えば、両者共に、一時保存期限および画像保存ページへのリンク等が記載されていてよい。
【００７８】
また、メール作成部２２５は、判定部２２４（会員状態判定部２２４ｄ）から、各ユーザ用の記憶領域に保存していない未保存の撮影画像に対応するメールアドレスおよび当該メールアドレスに対応するユーザの会員状態情報を受け取る。次に、メール作成部２２５は、メール情報格納部２４４に格納されているメール情報を参照して、それぞれの会員に適当な保存忘れ通知メールを作成する。メール作成部２２５は作成した当該メールを送信部２２６に出力し、通信部２１を介してユーザが入力したメールアドレス宛てに当該メールを送信させる。すなわち、メール作成部２２５は、会員の種類毎（非会員、無料会員、有料会員）に異なる保存忘れ通知メールを作成する。
【００７９】
（送信部２２６）
送信部２２６は、メール作成部２２５および表示ページ作成部２２８から出力されたメールおよびウェブページを、通信部２１に送信させる。
【００８０】
具体的には、送信部２２６は、保存状態判定部２２４ｃが撮影画像が各ユーザ用の記憶領域に保存されていないと判定した場合、配信時間決定部２３１が決定した配信時間に、当該撮影画像に対応するメールアドレス宛てに当該撮影画像の保存状態を通知するメールを送信する。
【００８１】
送信部２２６は、撮影画像が写真シール作成装置４で生成された日の上記配信時間に、上記の保存状態を通知するメールを送信してよい。また、送信部２２６は、撮影画像の一時保存期間が経過した場合は、上記メールを送信しなくてもよい。
【００８２】
なお、送信部２２６は、撮影画像が生成された日以外にも、当該撮影画像の一時保存期間が経過するまで毎日上記配信時間に上記メールを送信してもよい。また、送信部２２６は、撮影画像が生成された日以外に、残存保存期間が所定の長さの期間より短くなった日以後、一時保存期間が経過するまでの間の日の上記配信時間に上記メールを送信してもよい。
【００８３】
（ユーザ指示実行部２２７）
ユーザ指示実行部２２７は、受信部２２１からユーザが入力したメールアドレス宛てに送信されたメールに含まれるＵＲＬ（または、リンク付き表示画像）が、携帯端末３にて選択されたことを示す情報を受け取ると、表示ページ作成部２２８にウェブページの作成を指示する。
【００８４】
また、ユーザ指示実行部２２７は、一時保存部２４１に格納されている撮影画像を各ユーザ用の記憶領域に保存する指示を携帯端末３から受信部２２１を介して取得し、当該保存を実行する。例えば、ユーザ指示実行部２２７は、一時保存部２４１に一時保存されている撮影画像を携帯端末３に対して、送信部２２６を介して通信部２１に送信させてもよい。また、当該撮影画像の保存先としては、管理サーバ２とは異なる外部サーバであってもよい。この場合においても、ユーザ指示実行部２２７は、一時保存部２４１に格納されている撮影画像を、上記外部サーバに対して、送信部２２６を介して通信部２１に送信させてもよい。また、管理サーバ２が、一時保存部２４１とは異なる撮影画像の記憶領域を備えている構成であってもよく、ユーザから保存の指示を受け付けて、撮影画像を当該記憶領域に保存してもよい。
【００８５】
ユーザ指示実行部２２７は、当該保存を実行すると、保存情報格納部２４２に保存されている撮影画像の保存履歴である保存情報を更新してもよい。また、当該保存情報には、保存された撮影画像、当該撮影画像を示すシールＩＤ、当該撮影画像の保存日時、当該撮影画像の保存先、当該撮影画像の保存を行ったユーザ（または当該ユーザに対応するメールアドレス）、当該撮影画像に対応付けられたメールアドレスに対応するユーザのうち、保存を行っていないユーザ（または当該ユーザに対応するメールアドレス）等の情報を含んでいてもよい。上記保存情報は、撮影画像が一時保存部２４１に一時保存されるとともに作成され、保存情報格納部２４２に保存されてもよい。
【００８６】
（表示ページ作成部２２８）
表示ページ作成部２２８は、携帯端末３に表示されるウェブページを作成するものである。具体的には、表示ページ作成部２２８は、受信部２２１が受信した、ユーザへの画像提供サイトにおけるアクセス要求に応じて、サイト情報格納部２４５からウェブページのデータを読み出し、携帯端末３に表示させるウェブページを作成する。なお、ウェブページを作成するとき、会員状態情報格納部２４３に格納されているユーザ情報や、ユーザ情報と対応付けられた撮影画像のサムネイル画像などを用いてもよい。
【００８７】
また、表示ページ作成部２２８は、判定部２２４（会員状態判定部２２４ｄ）からの指示に応じたウェブページを作成し、送信部２２６に出力する。そして、送信部２２６は、通信部２１を介して、出力されたウェブページを携帯端末３に送信する。
【００８８】
（ユーザ種類決定部２３０）
ユーザ種類決定部２３０は、一時保存部２４１に格納されている属性情報を読み出し、読み出した属性情報の示す属性に基づいて、当該属性情報が対応付けられているメールアドレスのユーザの種類を決定する。ユーザ種類決定部２３０は、決定したユーザの種類を配信時間決定部２３１に通知する。
【００８９】
例えば、ユーザ種類決定部２３０は、図１４に示すユーザ分類情報を参照して、ユーザの種類を決定する。図１４の（ａ）は、ユーザの年齢とユーザの種類とが対応付けられたユーザ分類情報の一例を示す。図１４の（ａ）に示すユーザ分類情報では、ユーザの年齢に基づいて、ユーザはＡ〜Ｆの６種類に分類される。ユーザ種類決定部２３０は、図１４の（ａ）に示すユーザ分類情報を参照した場合、例えばユーザの年齢が１６歳であれば、当該ユーザの種類は「Ｂ」となる。また、図１４の（ｂ）は、ユーザの職業とユーザの種類とが対応付けられたユーザ分類情報の一例を示す。図１４の（ｂ）に示すユーザ分類情報では、ユーザの職業に基づいて、ユーザはＡ’〜Ｆ’の６種類に分類される。ユーザ種類決定部２３０は、図１４の（ｂ）に示すユーザ分類情報を参照した場合、例えばユーザの職業が高校生であれば、当該ユーザの種類は「Ｂ’」となる。また、図１４の（ｃ）は、ユーザの年齢および職業とユーザの種類とが対応付けられたユーザ分類情報の一例を示す。図１４の（ｃ）に示すユーザ分類情報では、ユーザの年齢および職業に基づいて、ユーザはＡ１〜Ｆ６の３６種類に分類される。ユーザ種類決定部２３０は、図１４の（ｃ）に示すユーザ分類情報を参照した場合、例えばユーザの年齢が２０歳であり、職業が大学生であれば、当該ユーザの種類は「Ｃ３」となる。
【００９０】
なお、ユーザ種類決定部２３０は、ユーザを職業で分類する場合、「中学生」、「高校生」、「大学生」をさらに学年で細分化してもよい。すなわち、ユーザ種類決定部２３０は、「中学１年」、「中学２年」、・・・、「大学４年」のようにユーザを分類してもよい。この場合、ユーザに学年まで入力させてもよいし、ユーザに生年月日を入力させて、ユーザ種類決定部２３０が生年月日から学年を推定してもよい。
【００９１】
また、ユーザの分類の仕方（ユーザ分類情報）はこれに限るものではない。ユーザの年齢および職業以外に、性別等のその他の属性を用いてユーザを分類してもよい。例えば、ユーザ分類情報は、年齢および性別とユーザの種類とが対応付けられた情報であってもよいし、職業および性別とユーザの種類とが対応付けられた情報であってもよい。すなわち、ユーザ分類情報は、ユーザの１または複数の属性とユーザの種類とが対応付けられた情報であればよい。
【００９２】
（配信時間決定部２３１）
配信時間決定部２３１は、ユーザに応じた配信時間を決定する。配信時間決定部２３１は、決定した配信時間を送信部２２６に通知する。
【００９３】
具体的には、配信時間決定部２３１は、ユーザ種類決定部２３０から通知を受け取り、当該通知の示すユーザの種類に対応する配信時間を決定してよい。例えば、配信時間決定部２３１は、図１５に示す配信時間情報を参照して、配信時間を決定する。図１５（ａ）は、図１４（ａ）に示すユーザ分類情報（年齢）により分類されたユーザの種類と配信時間帯とが対応付けられた配信時間情報の一例を示す。図１５（ａ）に示す配信時間情報は、ユーザを年齢でＡ〜Ｆの６種類に分類した場合に使用する情報である。配信時間決定部２３１は、図１５（ａ）に示す配信時間情報を参照した場合、例えばユーザの種類が「Ｃ」であれば、当該ユーザにメールを送信する時間帯を「２１時〜２２時」とする。また、図１５（ｂ）は、図１４（ｂ）に示すユーザ分類情報（職業）により分類されたユーザの種類と配信時間帯とが対応付けられた配信時間情報の一例を示す。図１５（ｂ）に示す配信時間情報は、ユーザを職業でＡ’〜Ｆ’の６種類に分類した場合に使用する情報である。配信時間決定部２３１は、図１５（ｂ）に示す配信時間情報を参照した場合、例えばユーザの種類が「Ｄ’」であれば、当該ユーザにメールを送信する時間帯を「２３時〜２４時」とする。
【００９４】
また、図１５に示すように、配信時間情報は、ユーザの種類に対応付けられた差分時間を含んでいてよい。「差分時間」は、所定の基準時間（基準タイミング）から配信時間（配信タイミング）までの差分である。このように、配信時間を所定の基準時間との差分時間で表してもよい。すなわち、配信時間決定部２３１は、配信時間として差分時間を送信部２２６に通知してもよい。なお、基準時間は、任意の時間でよく、図１５に示す例では「１５時」である。
【００９５】
配信時間決定部２３１は、個々のユーザに応じた配信時間を決定してもよい。具体的には、配信時間決定部２３１は、各ユーザについてのマーケティングデータに基づいて、画像保存を実行する可能性の高い時間を推定し、推定した時間を配信時間として決定する。
【００９６】
ここで、マーケティングデータとは、アンケート、写真シール作成装置４の使用履歴、画像提供サイトへのアクセス履歴等のデータであり、ユーザの生活習慣を推定するためのデータである。アンケートは、写真シール作成装置４の使用時や画像提供サイト上などで取得したものであり、例えば、配信希望時間、配信希望日、就寝時間、通学（通勤）時間、休憩（自由）時間、入浴時間、食事時間等を示すデータである。なお、アンケートの対象ユーザが会員の場合、アンケート結果が会員情報に対応付けられて保存されてもよい。写真シール作成装置４の使用履歴は、写真シール作成装置４がメールアドレス毎（または会員ＩＤ毎）に各ユーザのプレイ時間等の履歴を保存し、管理サーバ２が写真シール作成装置４から収集したデータである。画像提供サイトのアクセス履歴は、サイトへのアクセス数、アクセス時刻、ログイン時刻、過去の画像保存実行時刻等を示すデータである。
【００９７】
例えば、配信時間決定部２３１は、写真シール作成装置４のプレイ時間帯を配信時間の起点時間として設定し、就寝時間帯を配信時間の終点時間として設定し、過去の画像保存実行時間、通学（通勤）時間、休憩（自由）時間、入浴時間、食事時間等を統計分析して、ユーザの配信時間を決定してよい。このとき、統計分析の方法については、公知のものが適用され、特に限定されない。例えば、ユーザ個人毎に所定期間分のデータを統計分析してもよいし、上記のユーザ種類に属するユーザ毎に所定日分または所定期間分のデータを統計分析してもよい。また、例えば、アンケートによって配信希望時間や配信希望日が入力されている場合には、その入力内容を優先して、ユーザの配信時間を決定してよい。
【００９８】
また、配信時間決定部２３１は、上記マーケティングデータに基づいて、ユーザの種類毎の配信時間を決定してもよい。すなわち、配信時間決定部２３１は、上記マーケティングデータおよび属性情報に基づいて、上記配信時間情報を作成してもよい。さらに、配信時間決定部２３１は、上記マーケティングデータおよび属性情報の更新に伴い、上記配信時間情報を更新してもよい。
【００９９】
さらに、配信時間決定部２３１は、時間だけではなく、ユーザ（またはユーザの種類）に合わせた配信日を決定してもよい。配信日は、例えば、曜日、祝日／非祝日、その他特定の日などである。すなわち、配信時間決定部２３１は、ユーザに応じた配信タイミングを決定する配信タイミング決定部である。
【０１００】
（記憶部２４）
記憶部２４は一時保存部２４１、保存情報格納部２４２、会員状態情報格納部２４３、メール情報格納部２４４、サイト情報格納部２４５、マーケティングデータ格納部２４６等を備えている。
【０１０１】
（一時保存部２４１）
写真シール作成装置４から受信した撮影画像と入力メールアドレスと属性情報とシールＩＤとを対応付けて一時的に保存するメモリである。本実施形態においては、一時保存開始時から、１週間で一時保存データを削除する構成であるが、一時保存期間の長さはこれに限定されない。
【０１０２】
（保存情報格納部２４２）
保存情報格納部２４２は、一時保存部２４１に格納された撮影画像についての保存情報を格納するメモリである。
【０１０３】
（会員状態情報格納部２４３）
画像提供サイトの会員であるユーザの各種情報を格納するメモリである。例えば、会員状態情報格納部２４３には、ユーザを一義的に特定するための会員ＩＤ、当該ユーザのメールアドレス、当該ユーザが使用する携帯端末３を識別するためのＩＤ、ユーザの会員状態の種類（非会員、有料会員、無料会員）、ユーザが保存した撮影画像等が対応付けられて格納されていてもよい。なお、格納されている情報は上記の例に限定されず、ユーザを識別するためのアカウントＩＤなど、その他のユーザの情報が格納されていてもよい。
【０１０４】
（メール情報格納部２４４）
メール情報格納部２４４は、ユーザ宛てに送信するメールのデータを格納するメモリである。
【０１０５】
（サイト情報格納部２４５）
サイト情報格納部２４５は、携帯端末３に表示される画像提供サイトのウェブページのデータを格納するメモリである。
【０１０６】
（マーケティングデータ格納部２４６）
マーケティングデータ格納部２４６は、上記マーケティングデータを格納するメモリである。
【０１０７】
（写真シール作成装置４）
写真シール作成装置４は、撮影や編集などの作業をユーザにゲームとして行わせ、撮影画像や編集済み画像を提供する代わりに、ユーザより代金を受け取るゲーム機である。写真シール作成装置４はゲームセンタなどの店舗に設置される。ユーザは１人であることもあるし、複数人であることもある。
【０１０８】
写真シール作成装置４が提供するゲームで遊ぶユーザは、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。ユーザは、編集済みの画像が印刷されたシール紙を受け取って、一連のゲームを終了させることとなる。
【０１０９】
図３は、本発明の実施形態１に係る写真シール作成装置４の外観の構成例を示す斜視図である。この図に示すように、写真シール作成装置４は、筐体４０、事前接客ユニット４１、撮影ユニット４２、編集ユニット４３、天井ストロボボックス４４、ディスプレイ４５、およびスキャナ４６を備えている。事前接客ユニット４１は、上部ユニット４１Ａおよび下部ユニット４１Ｂを備えている。撮影ユニット４２は、前方ユニット４２Ａおよび後方ユニット４２Ｂを備えている。ディスプレイ４５は、上部ユニット４１Ａに設けられており、スキャナ４６は、下部ユニット４１Ｂに設けられている。なお、写真シール作成装置４は、写真シールを作成することができる装置であればよく、上記の構成例に限定されない。
【０１１０】
図４は、本発明の実施形態１に係る写真シール作成装置４の要部構成を示すブロック図である。図４に示すように、写真シール作成装置４は、読取部５０、解析部５１、撮影部５２、編集部５３、入力部５４、印刷部５５、表示部５６、および通信部５７を備える。なお、各部の詳細については、本発明の本質とあまり関連しないため、省略する。
【０１１１】
また、表示部５６は、ユーザが管理サーバ２に送信する撮影画像を選択し、メールアドレスを入力するための画面を表示する。
【０１１２】
（携帯端末３）
ユーザは、携帯端末３を所持している。ユーザは、写真シール作成装置４において撮影した画像を、画像提供サイトを通じて、上記管理サーバ２の内部に設けられた一時保存部以外の記憶部、上記管理サーバ２の外部の装置が備えている記憶部、または、ユーザの携帯端末３が備える記憶部に保存する。
【０１１３】
図５は、本発明の実施形態１に係る携帯端末３の要部構成を示すブロック図である。図５に示すように、携帯端末３は、入力部６０、記憶部６１、表示部６２、および通信部６３を備えている。表示部６２（表示手段）は、種々の画像を表示する表示デバイスであり、例えば、管理サーバ２の通信部２１から送信されたメールおよびウェブページ等を表示する。その他の各部の詳細については、本発明の本質とあまり関連しないため、省略する。
【０１１４】
（メール送信処理）
次に、図６〜１３を参照して、メール送信処理について詳細に説明する。図６は、本発明の実施形態１におけるメール送信処理の流れの一例を示すシーケンス図であり、図７は本発明の実施形態１に係る写真シール作成装置４において、ユーザが画像を選択し、メールアドレスを入力するための表示画面であり、図８は、本発明の実施形態１に係る写真シール作成装置４において、属性を入力するための表示画面であり、図９は実施形態１に係る保存忘れ通知処理の流れの一例を示すフローチャートであり、図１０は実施形態１に係る会員別通知メール送信処理の流れの一例を示すフローチャートであり、図１１〜１３は本発明の実施形態１における携帯端末３の表示部６２に表示される画面遷移図である。
【０１１５】
図６に示すように、ユーザは写真シール作成装置４でのゲームのプレイを開始する（ステップＳ１）。具体的には、写真シール作成装置４の事前接客ユニット４１の前に立ち、ゲームのプレイに必要な料金を、図示しないコイン投入口に投入する。これにより、ゲームのプレイが開始される。
【０１１６】
次に、写真シール作成装置４が、ユーザの写真を撮影する（ステップＳ２）。その際、ユーザは、撮影ユニット４２内に入る。図示しない撮影ボタンをユーザが押下すると、写真シール作成装置４の撮影部５２が、天井ストロボボックス４４からフラッシュ光を照射して、ユーザの写真を撮影する。この結果、図示しない撮像素子から撮像信号が撮影部５２に送られ、撮影部５２は、その信号を元に、ユーザの撮影画像を作成する。撮影部５２は、作成した撮影画像を表示部５６に出力する。
【０１１７】
写真シール作成装置４は、次に、作成した撮影画像をユーザに編集させる（ステップＳ３）。その際、ユーザは、編集ユニット４３の前に立つ。表示部５６は、編集ユニット４３に設けられている、図示しないディスプレイの画面に、画像を表示する。ユーザは、図示しないタッチペンなどを利用して、撮影画像を画面上で編集する。その際、写真シール作成装置４の編集部５３が、撮影画像に対し、ユーザが画面上で行った編集を反映させる。
【０１１８】
ユーザによる画像編集が終了すると、編集部５３は、編集を反映させた複数の撮影画像を、印刷部５５および通信部５７に出力する。編集完了後、図示しない印刷ボタンをユーザが押下すれば、写真シール作成装置４の印刷部５５は、図示しないプリンタを制御して、シール紙にユーザの撮影画像を印刷する。これによりユーザは、写真シールを入手することができる。
【０１１９】
画像編集の終了後、写真シール作成装置４の表示部５６は、メールアドレスを入力するためのメールアドレス入力画面を、編集ユニット４３に設けられた、図示しないディスプレイの画面に表示する。
【０１２０】
図７は２人のユーザが同時に画像を選択し、メールアドレスを入力することが可能な画面例を示している。
【０１２１】
図７の（ａ）は、ユーザが、写真シール作成装置４において１回のプレイにおいて生成された撮影画像の中から、管理サーバ２に送信する画像を選択する表示画面Ｑを例示している。
【０１２２】
図７の（ａ）によれば、画像選択画面の略中央部分に、選択対象となる複数の撮影画像が表示される選択画像表示領域７１が設けられている。その下側には、選択した撮影画像を送信対象とするときに操作（押下）されるＯＫボタン７３が表示されている。この選択画像表示領域７１とＯＫボタン７３の間には、送信画像表示領域７２が設けられ、送信画像が表示される。
【０１２３】
このような構成の画面が表示画面Ｑの左側に配置され、同様の構成の画面が右側にも表示される。すなわち、選択画像表示領域７１ａ、ＯＫボタン７３ａ、および送信画像表示領域７２ａで構成される画面が、選択画像表示領域７１、ＯＫボタン７３、および送信画像表示領域７２の右側にも表示される。
【０１２４】
このような画面においては、２人のユーザが、それぞれが自己の携帯端末３に送信したい画像を選択することが可能とされている。なお、各ユーザは同じタイミングで画像を選択してもよいし、異なるタイミングで画像を選択してもよく、各ユーザ間の画像選択のタイミングは制限されない。
【０１２５】
なお、送信される画像は複数であってもよい。
【０１２６】
図７の（ｂ）は、ユーザがメールアドレスを入力する表示画面Ｑ１を例示している。
【０１２７】
図７の（ｂ）によれば、表示画面Ｑ１の左側には、アルファベット表示領域８１、画像表示領域８４、メールアドレス表示領域８２、およびＯＫボタン８３が表示されている。
【０１２８】
また、表示画面Ｑ１においては、右側にも同様の構成を有する画面が表示される。すなわち、表示画面Ｑ１の右側に、アルファベット表示領域８１ａ、画像表示領域８４ａ、メールアドレス表示領域８２ａ、ＯＫボタン８３ａが表示されている。
【０１２９】
２人のユーザは、図７（ｂ）に示したような画面において、同じタイミングで、自己の携帯端末３のメールアドレスを、それぞれ入力する（ステップＳ４）。なお、入力されるメールアドレスは複数であってもよい。ここで、入力時間が制限されている場合、制限時間内であれば、アドレスを複数入力できる構成でもよい。
【０１３０】
上記ＯＫボタン８３を押下すると、入力内容が確定し、入力した情報は入力部５４が受け取る。なお、メールアドレスの入力の後、図７の（ｂ）に示す表示画面Ｑ１と同様の画面を表示し、ニックネーム等を入力させてもよい（例えば会員にのみ）。
【０１３１】
メールアドレスの入力後、写真シール作成装置４の表示部５６は、ユーザの属性を入力するための属性入力画面を、編集ユニット４３に設けられた、図示しないディスプレイの画面に表示する。
【０１３２】
属性入力画面は、例えば、図８に示す表示画面Ｑ２である。図８に示すように、表示画面Ｑ２には、年齢選択ボタン１３１、職業選択ボタン１３２、性別選択ボタン１３３およびＯＫボタン１３４が表示されている。
【０１３３】
ユーザは、該当する年齢選択ボタン１３１、職業選択ボタン１３２、性別選択ボタン１３３をそれぞれ１つずつ押下し、最後にＯＫボタン１３４を押下する。ＯＫボタン１３４が押下されると、入力内容が確定し、入力した情報は入力部５４が受け取る。
【０１３４】
なお、図８に示す例では、学生の選択項目が「中学生」、「高校生」、「大学生」となっているが、「中学２年」など、さらに学年までユーザに入力させてもよい。
【０１３５】
また、属性の入力の後、当日の保存忘れ通知メールの要否、一時保存期間経過前の保存忘れ通知メールの要否、即時の撮影画像保存案内メールの要否、並びに、メールの配信希望時間および配信希望日について、ユーザに入力させてもよい。
【０１３６】
また、メールアドレスおよび属性の入力方法はこれに限るものではない。例えば、写真シール作成装置４は、非接触リーダまたは無線ＬＡＮ等の通信手段を用いて、携帯端末３と通信を行い、管理サーバ２が携帯端末３からメールアドレスおよび属性情報を取得してもよい。具体的には、写真シール作成装置４は、非接触リーダまたは無線ＬＡＮ等で携帯端末３と通信を行い、携帯端末３にシールＩＤが記載された空メール送信画面を表示させる。ユーザは携帯端末３を操作して、表示された空メールを管理サーバ２に送信する。管理サーバ２は、空メールを受信し、空メールの送信主であるユーザのメールアドレスを取得し、シールＩＤに対応付けて一時保存部２４１に保存する。そして、管理サーバ２は、ユーザに属性を入力させるための案内メールを携帯端末３に送信する。ユーザは、案内メールを携帯端末３で受信し、案内メールにしたがって、自身の属性等を入力する。なお、このとき、ユーザが会員の場合は、既に入力済みの情報（メールアドレスおよび属性）を表示して、ユーザが入力済みの情報を更新できるようにしてもよい。そして、携帯端末３は、入力された属性を示す属性情報等を管理サーバ２に送信する。管理サーバ２は、受信した属性情報等をシールＩＤに対応付けて一時保存部２４１に保存する。また、携帯端末３がメールアドレスおよび属性情報を保持している場合、写真シール作成装置４は、携帯端末３から直接メールアドレスおよび属性情報を取得してもよい。
【０１３７】
通信部５７は、上記の選択された画像、入力されたメールアドレス、および、入力された属性を示す属性情報を、シールＩＤ（コンテンツ識別情報）とともに、管理サーバ２に送信する（ステップＳ６）。このとき、通信部５７は、上記メールアドレス、上記撮影画像、上記属性情報および上記シールＩＤを関連付けて送信する。
【０１３８】
また、図７で示した表示画面ＱおよびＱ１の右側および左側のそれぞれで選択された撮影画像および入力メールアドレスは、それぞれが異なるシールＩＤに対応していてもよい。
【０１３９】
言い換えると、画面左側で選択された撮影画像および画面左側で入力されたメールアドレスが１つのシールＩＤに対応しており、一方で、画面右側で選択された撮影画像および画面左側で入力されたメールアドレスが別のシールＩＤに対応していてもよい。すなわち、写真シール作成装置４が１回のプレイで生成された１または複数の撮影画像に対して、複数のシールＩＤを生成してもよい。この場合、シールＩＤは、１回のプレイで生成された１または複数の撮影画像の中から、ユーザが選択した撮影画像を示す識別情報である。
【０１４０】
また、管理サーバ２は、写真シール作成装置４が同一プレイで生成された複数のシールＩＤを対応付けて管理してもよい。
【０１４１】
また、同一プレイ内で生成された各シールＩＤの示す撮影画像は、互いに全てが同一の画像であってもよいし、互いに全て異なる画像であってもよいし、各シールＩＤの示す撮影画像のうち、一部が同一の画像であってもよい。
【０１４２】
次に、写真シール作成装置４から送信されたメールアドレス、撮影画像、属性情報およびシールＩＤを、管理サーバ２の通信部２１が受信する（ステップＳ１１：受信ステップ）。受信部２２１は、受信した撮影画像を、画像一時保存実行部２２２に出力する。画像一時保存実行部２２２は、受け取った撮影画像に対応するメールアドレスがあるか否かを判定する（ステップＳ１２）。受け取った撮影画像に対応するメールアドレスがあると判定した場合（ステップＳ１２においてＹＥＳの場合）、画像一時保存実行部２２２は、メールアドレス、撮影画像、属性情報およびシールＩＤを対応付けて一時保存部２４１に格納し、格納した撮影画像に対応するメールアドレスおよびシールＩＤをメール作成部２２５に出力する。（ステップＳ１３：実行ステップ）。受け取った撮影画像に対応するメールアドレスがないと判定した場合（ステップＳ１２においてＮＯの場合）、メール送信処理を終了する。
【０１４３】
メール作成部２２５は、受け取ったメールアドレス宛ての撮影画像保存案内メールを作成する。このとき、メール作成部２２５は、受け取ったメールアドレスおよびシールＩＤを表示ページ作成部２２８に出力し、ユーザが当該シールＩＤが示す撮影画像を取得または保存するためのウェブページの作成を指示する。表示ページ作成部２２８は、撮影画像保存用ウェブページを作成し、撮影画像保存用ウェブページのＵＲＬ（または、当該ウェブページへのリンク付き表示画像）をメール作成部２２５に出力する。
【０１４４】
メール作成部２２５は、出力されたＵＲＬを含む、当該メールアドレス宛ての撮影画像保存案内メールを作成し、送信部２２６に出力する。送信部２２６は、通信部２１を介して、当該メールアドレス宛てに撮影画像保存案内メールを送信する（ステップＳ１４）。
【０１４５】
管理サーバ２は、一時保存部２４１に格納された撮影画像について保存忘れ通知処理を行う（ステップＳ１５）。図９を参照して、保存忘れ通知処理について説明する。
【０１４６】
保存期間判定部２２４ａは、一時保存部２４１に格納された撮影画像の一時保存期間が経過したか否かを判定する（ステップＳ１５１：保存期間判定ステップ）。当該判定方法の詳細については上述したためここでの説明は省略する。保存期間判定部２２４ａが撮影画像の一時保存期間が経過していないと判定した場合（ステップＳ１５１においてＮＯの場合）、保存期間判定部２２４ａは、当該撮影画像に対応するシールＩＤを保存状態判定部２２４ｃに出力する。
【０１４７】
シールＩＤを受け取った保存状態判定部２２４ｃは、当該シールＩＤに対応するメールアドレスのユーザが当該シールＩＤに対応する撮影画像を各ユーザ用の記憶領域に保存済であるか否かを判定する（ステップＳ１５２：保存状態判定ステップ）。当該判定方法の詳細については上述したためここでの説明は省略する。保存状態判定部２２４ｃが、撮影画像が各ユーザ用の記憶領域に保存済でないと判定した場合（ステップＳ１５２においてＮＯの場合）、保存状態判定部２２４ｃは、当該シールＩＤに対応するメールアドレスを一時保存部２４１から取得し、会員状態判定部２２４ｄおよびユーザ種類決定部２３０に出力する。
【０１４８】
そして、ユーザ種類決定部２３０は、受け取ったメールアドレスに対応付けられている属性情報を一時保存部２４１から読み出し、読み出した属性情報の示す属性に基づいて、受け取ったメールアドレスに対応するユーザの種類を決定する（Ｓ１５３：ユーザ種類決定ステップ）。ユーザ種類決定部２３０は決定したユーザの種類を配信時間決定部２３１に通知する。通知を受けた配信時間決定部２３１は、ユーザの種類に対応する配信時間を決定する（Ｓ１５４：配信タイミング決定ステップ）。配信時間決定部２３１は、決定した配信時間を送信部２２６に通知する。
【０１４９】
なお、保存期間判定部２２４ａが撮影画像の一時保存期間が経過したと判定した場合（ステップＳ１５１においてＹＥＳの場合）、または、保存状態判定部２２４ｃが、撮影画像が各ユーザ用の記憶領域に保存済であると判定した場合（ステップＳ１５２においてＹＥＳの場合）において、保存忘れ通知処理は終了する。
【０１５０】
なお、Ｓ１５１の残存保存期間判定ステップは、実行しなくてもよい。特に、後述のように、当日に保存忘れ通知メールを送信する場合において、一時保存期間が経過していないことが明白なときには、Ｓ１５１の判定処理を行わなくてもよい。また、Ｓ１５３の処理を行わず、Ｓ１５４において、配信時間決定部２３１は、上述のようにユーザ個人の配信時間を決定してもよい。
【０１５１】
図１０を参照して、会員別通知メール送信処理（ステップＳ１５５：送信ステップ）について説明する。
【０１５２】
メールアドレスを受け取った会員状態判定部判定部２２４ｄは、会員状態情報格納部２４３に格納されている会員状態情報を参照して、受け取ったメールアドレスのユーザが会員であるか否かを判定する（ステップＳ３１）。会員状態判定部２２４ｄが、当該ユーザが会員であると判定した場合（ステップＳ３１においてＹＥＳ）、会員状態判定部２２４ｄは当該ユーザが有料会員であるか否かを判定する（ステップＳ３２）。会員状態判定部２２４ｄが、当該ユーザが有料会員であると判定した場合（ステップＳ３２においてＹＥＳ）、会員状態判定部２２４ｄはメール作成部２２５に当該ユーザのメールアドレスおよび当該ユーザの会員状態情報（有料会員であるという情報）を出力する。メール作成部２２５に出力する上記メールアドレスとしては、例えば、上記会員状態情報が当該有料会員のメールアドレスを複数含む場合、当該シールＩＤに対応するメールアドレス以外のその他のメールアドレスであってもよい。メール作成部２２５は、有料会員に適当な保存忘れ通知メールをメール情報格納部２４４に格納されているメール情報を参照して作成する。メール作成部２２５は作成したメールを送信部２２６に出力する。送信部２２６は、配信時間決定部２３１が決定した配信時間に、受け取ったメールを通信部２１を介して、当該ユーザのメールアドレス（会員状態判定部２２４ｄから受け取ったメールアドレス）宛てに送信する（ステップＳ３３）。
【０１５３】
なお、受け取ったメールアドレスのユーザが会員でないと判定した場合（ステップＳ３１においてＮＯの場合）、または、受け取ったメールアドレスのユーザが有料会員でないと判定した場合（ステップＳ３２においてＮＯの場合）、会員状態判定部２２４ｄはメール作成部２２５に当該ユーザのメールアドレスおよび当該ユーザの会員状態情報（非会員または無料会員であるという情報）を出力する。メール作成部２２５は、それぞれのユーザに適当な保存忘れ通知メールをメール情報格納部２４４に格納されているメール情報を参照して作成する。メール作成部２２５は作成したメールを送信部２２６に出力する。送信部２２６は、配信時間決定部２３１が決定した配信時間に、通信部２１を介して当該ユーザのメールアドレス宛てに送信する（ステップＳ３４またはステップＳ３５）。
【０１５４】
送信部２２６は、保存忘れ通知メールを、少なくとも撮影画像が写真シール作成装置４において作成された日に送信する。
【０１５５】
なお、Ｓ１５５において、非会員、無料会員、有料会員の会員状態にかかわらず、各ユーザに同一の内容のメールを送信してもよい。
【０１５６】
携帯端末３は、通信部６３にて上記メールを受信する（ステップＳ２１）。
【０１５７】
通信部６３は、受信したメールを表示部６２に出力する。ユーザは表示部６２にて表示されたメールを確認し、撮影画像を保存したい場合は、画像に示されているＵＲＬ（またはリンク付き表示画像）を選択する（ステップＳ２２）。入力部６０は、上記選択を受け取り、ＵＲＬが選択されたことを示す情報（ＵＲＬ選択情報）を通信部６３に出力する。通信部６３は、上記ＵＲＬ選択情報を管理サーバ２に送信する。
【０１５８】
管理サーバ２の通信部２１は、上記ＵＲＬ選択情報を受信する。受信部２２１は、上記ＵＲＬ選択情報をユーザ指示実行部２２７を介して表示ページ作成部２２８に出力する。表示ページ作成部２２８は、例えば、画像保存用ウェブページを送信部２２６に出力し、送信部２２６は、通信部２１を介して、携帯端末３に画像保存用ウェブページを送信する。
【０１５９】
携帯端末３の通信部６３は、受信した画像保存用ウェブページを表示部６２に出力する。表示部６２は、受け取ったウェブページを表示し（ステップＳ２３）、メール送信処理を終了する。
【０１６０】
このように、管理サーバ２は、保存忘れ通知メール（リマインドメール）の配信時間を、所定の属性（カテゴリ）で分類されたユーザの種類（ユーザ層）毎の生活習慣に合わせて設定する。これにより、ユーザの保存忘れ通知メールの開封率およびユーザの画像保存の実行率を向上させ、ユーザの撮影画像の保存忘れを効果的に抑制することができる。
【０１６１】
また、配信日を、ユーザが写真シール作成装置４でゲームをプレイした当日に行うことで、ユーザは、写真シール作成装置４でゲームした記憶がより鮮明であるタイミングで保存忘れ通知メールを受け取ることができる。そのため、保存忘れ通知メールの開封率およびユーザの画像保存の実行率をさらに向上させることができる。
【０１６２】
また、通知内容を会員状態に応じて変えることにより、ユーザに必要な情報だけが送られる。そのため、ユーザに対して、撮影画像を保存する良い動機付けを与えることができる。
【０１６３】
また、上述のように、写真シール作成装置４におけるプレイ中に、携帯端末３と写真シール作成装置４とを通信させて、メールアドレスおよび属性情報等を入力させてもよい。これにより、ユーザがゲームプレイ後に携帯端末３から入力をする場合に比べて、ユーザの入力の手間を省くことができる。また、ユーザの誤入力を抑制し、ユーザが入力した情報が誤っていることに起因して配信時間を誤って決定することを防ぐことができる。
【０１６４】
（非会員ユーザの携帯端末３における画像表示）
図１１は非会員のユーザの携帯端末３に表示される画像の遷移図である。
【０１６５】
図１１の（ａ）は、非会員のユーザの撮影画像が未保存であることを通知するメールの表示画像Ｐ１を示している。
【０１６６】
表示画像Ｐ１には、一時保存部２４１に一時保存されている撮影画像の閲覧期限（一時保存期限）が表示されている。
【０１６７】
上記の構成によれば、ユーザの撮影画像の保存忘れを防止する事ができる。
【０１６８】
また、表示画像Ｐ１は、「こちら」と表示されているリンク付き表示領域９０、「プリ画をゲット」と表示されているリンク付き表示領域９１、および、「プリ画を確認」と表示されているリンク付き表示領域９２を含んでいる。
【０１６９】
表示画像Ｐ１においてユーザがリンク付き表示領域９１またはリンク付き表示領域９２を選択すると、携帯端末３に表示される画像は、図１１の（ｂ）に示すランディングページ（リンク先ウェブページ）の表示画像Ｐ２に遷移する。
【０１７０】
図１１の（ｂ）は、図１１の（ａ）に示すリンク付き表示領域９１または９２のリンク先のウェブページの表示画像Ｐ２を示す図である。
【０１７１】
表示画像Ｐ２は、未保存撮影画像のサムネイル９３、「有料登録してプリ画を全部保存」と表示されているリンク付き表示領域９４、および、「無料会員登録をしてプリ画をゲット」と表示されているリンク付き表示領域９５を含んでいる。
【０１７２】
未保存撮影画像のサムネイル９３は、表示画像Ｐ２のウェブページでは保存できず、登録会員専用のウェブページで保存できる構成であってもよい。
【０１７３】
また、上記リンク付き表示領域９４またはリンク付き表示領域９５をユーザが選択すると、携帯端末３の表示部６２に表示される画像は、ユーザが会員登録するためのウェブページの画像に遷移してもよい。
【０１７４】
また、表示画像Ｐ２は「ログインしてプリを保存」と表示されたリンク付き表示領域９６を含む。ユーザがリンク付き表示領域９６を選択すると、携帯端末３の表示部６２に表示される画像は会員用のログインページの画像に遷移してもよい。
【０１７５】
一方、表示画像Ｐ１において、ユーザが「こちら」のリンク付き表示領域９０を選択すると、携帯端末３に表示される画像は図１１の（ｃ）に示す通知メール配信停止のためのウェブページの表示画像Ｐ３に遷移する。
【０１７６】
上記の構成によると、管理サーバ２は、非会員のユーザに対して、会員登録するためのウェブページへのリンク付き表示領域を含む非会員用の通知メールを送信することによって、非会員のユーザを会員に誘導することができる。
【０１７７】
なお、表示画像Ｐ１に、一時保存の期限が迫っている撮影画像の一時保存部２４１における保存先ＵＲＬ等の情報を表示してもよい。この場合、ユーザは、当該情報を押下することにより、直接、一時保存の期限が迫っている撮影画像の保存先にアクセスして、当該撮影画像を確認することができ、さらに当該撮影画像を各ユーザ用の記憶領域に保存することができる。
【０１７８】
図１１の（ｃ）に示す通知メール配信停止のためのウェブページの表示画像Ｐ３は、「配信停止」と表示されている表示領域９７を含んでいる。ユーザが当該領域を選択すると、携帯端末３のメーラーが起動する。図１１の（ｄ）は、携帯端末３のメーラーが起動した場合の携帯端末３の表示部６２に表示される表示画像Ｐ４を示している。携帯端末３のメーラーが起動した時点で、当該メールの送信先が入力されてもよい。ユーザは表示画像Ｐ４に含まれる「送信」との表示領域９８を選択することによって通知メール配信停止メールを送付することができる。
【０１７９】
（無料会員ユーザの携帯端末３における画像表示）
次に、無料会員のユーザの携帯端末３に表示される画像の遷移図について図１２を参照して説明する。
【０１８０】
図１２の（ａ）は、無料会員のユーザの撮影画像が未保存であることを通知するメールの表示画像Ｐ５を示している。
【０１８１】
表示画像Ｐ５には、一時保存部２４１に一時保存されている撮影画像の閲覧期限（一時保存期限）が示されている。
【０１８２】
上記の構成によれば、ユーザの撮影画像の保存忘れを防止する事ができる。
【０１８３】
また、「こちら」と表示されているリンク付き表示領域９０、「プリ画をゲット」と表示されているリンク付き表示領域１０１、および、「プリ画を確認」と表示されているリンク付き表示領域１０２を含んでいる。リンク付き表示領域９０については、図１１を参照して上述しているため、ここでの説明を省略する。
【０１８４】
表示画像Ｐ５においてユーザがリンク付き表示領域１０１またはリンク付き表示領域１０２を選択すると、携帯端末３に表示される画像は、図１２の（ｂ）に示すランディングページ（リンク先ウェブページ）の表示画像Ｐ６に遷移する。
【０１８５】
図１２の（ｂ）は、図１２の（ａ）に示すリンク付き表示領域１０１または１０２のリンク先のウェブページの表示画像Ｐ６を示す図である。
【０１８６】
例えば、１つのシールＩＤに対応する撮影画像が複数ある場合において、無料会員は写真シール作成装置４において指定した１枚の画像のみを保存でき、有料会員はすべての画像を保存できる構成であってもよい。なお、管理サーバ２は、ユーザの会員の種類に関わらず、シールＩＤに対応する全ての撮影画像を一時保存部２４１に保存する。そのため、無料会員（および非会員）は、一時保存部２４１に撮影画像が保存されている間は、有料会員になることにより、いつでもシールＩＤに対応する全ての撮影画像を保存することができる。
【０１８７】
表示画像Ｐ６は、未保存撮影画像のサムネイル９３、「有料登録してプリ画を全部保存」と表示されているリンク付き表示領域１０４、および、「無料１枚保存」と表示されているリンク付き表示領域１０５を含んでいる。
【０１８８】
「有料登録してプリ画を全部保存」と表示されているリンク付き表示領域１０４をユーザが選択すると、携帯端末３の表示部６２に表示される画像は有料会員登録用のウェブページの画像に遷移してもよい。
【０１８９】
また、「無料１枚保存」と表示されているリンク付き表示領域１０５をユーザが選択すると、携帯端末３の表示部６２に表示される画像は画像保存を行うためのウェブページの画像に遷移してもよい。
【０１９０】
（有料会員ユーザの携帯端末３における画像表示）
次に、有料会員のユーザの携帯端末３に表示される画像の遷移図について図１３を参照して説明する。
【０１９１】
図１３の（ａ）は、有料会員のユーザの撮影画像が未保存であることを通知するメールの表示画像Ｐ７を示している。
【０１９２】
表示画像Ｐ７には、一時保存部２４１に一時保存されている撮影画像の閲覧期限（一時保存期限）が示されている。
【０１９３】
上記の構成によれば、ユーザの撮影画像の保存忘れを防止する事ができる。
【０１９４】
また、「こちら」と表示されているリンク付き表示領域９０、および「プリ画をゲット」と表示されているリンク付き表示領域１１１を含んでいる。リンク付き表示領域９０については、図１１を参照して上述しているため、ここでの説明を省略する。
【０１９５】
表示画像Ｐ７においてユーザがリンク付き表示領域１１１を選択すると、携帯端末３に表示される画像は、図１３の（ｂ）に示すランディングページ（リンク先のウェブページ）の表示画像Ｐ８に遷移する。
【０１９６】
図１３の（ｂ）は、図１３の（ａ）示すリンク付き表示領域１１１のリンク先のウェブページの表示画像Ｐ８を示す図である。
【０１９７】
例えば、撮影画像が、１つのシールＩＤに対応する撮影画像が複数ある場合において、有料会員はすべての画像を保存できる構成であってもよい。
【０１９８】
表示画像Ｐ８は、未保存撮影画像のサムネイル９３、「プリ画を全部保存」と表示されているリンク付き表示領域１１４を含んでいる。
【０１９９】
「プリ画を全部保存」と表示されているリンク付き表示領域１１４をユーザが選択すると、携帯端末３の表示部６２に表示される画像は画像保存を行うためのウェブページの画像に遷移してもよい。
【０２００】
なお、未保存撮影画像の通知のメールを受信した場合の携帯端末３における表示画像の例について上述したが、例えば、撮影画像が未保存であることを通知するメールが送信される前にユーザが撮影画像閲覧ページにアクセスした場合、撮影画像閲覧ページの表示内容がアクセスしたユーザの会員登録状況、ユーザの最近のアクセス状況、ユーザのこれまでのアクセスの履歴等の状況等によって変更されてもよい。たとえば、ユーザが撮影画像閲覧ページにアクセスしたときに、「あと○日で画像が消えます」等の案内を表示してもよい。
【０２０１】
また、撮影画像の残存保存期間が所定の長さの期間より短い場合において、撮影画像が各ユーザ用の記憶領域に保存されていない場合の撮影画像閲覧ページについて説明する。
【０２０２】
非会員のユーザの撮影画像閲覧ページは、撮影画像の残存保存期間を表示する領域、および、「会員入会」と表示されているリンク付き表示領域（バナー表示）を含んでもよい。ユーザが上記リンク付き表示領域を選択すると、会員登録するためのウェブページの画像に遷移してもよい。
【０２０３】
上記の構成によると、会員登録するためのウェブページへのリンク付き表示領域を含む非会員用の撮影画像閲覧ページを設けることによって、非会員のユーザを会員に誘導することができる。
【０２０４】
また、会員のユーザの撮影画像閲覧ページは、撮影画像の残存保存期間を表示する領域を含んでもよい。
【０２０５】
上記の構成によると、未保存の撮影画像の各ユーザ用の記憶領域への保存を促すことができる。
【０２０６】
（変形例１）
図１６は、変形例１に係る無料会員のユーザの携帯端末３に表示される撮影画像閲覧ページの表示画像Ｐ９を示している。本変形例においては、例えば、１つのシールＩＤに対応する撮影画像が複数ある場合において、無料会員は１枚の画像のみを保存でき、有料会員はすべての画像を保存できる構成である。
【０２０７】
表示画像Ｐ９において、すでに保存された撮影画像１２１は保存されている撮影画像データ通りの色彩で表示される。
【０２０８】
一方、未保存である撮影画像１２２、撮影画像１２３および撮影画像１２４は、グレー表示されている。また、上記の未保存である撮影画像の表示領域上には一時保存の保存期限が示される。ユーザが未保存である撮影画像１２２、撮影画像１２３および撮影画像１２４を選択すると、携帯端末３の表示部６２における表示画像は、ユーザが有料会員に登録するためのウェブページの画像に遷移してもよい。
【０２０９】
（変形例２）
本発明の一変形例について図１７に基づいて説明すれば以下のとおりである。なお、説明の便宜上、前記実施形態にて説明した部材と同じ機能を有する部材については、同じ符号を付記し、その説明を省略する。
【０２１０】
本変形例は、保存忘れ通知処理の一変形例である。本変形例は、撮影画像に対応する複数の異なる入力メールアドレスがあり、そのうち少なくとも一つのメールアドレスに対応するユーザが撮影画像をユーザ用の記憶領域に保存済の場合、保存忘れ通知メールをその他の入力メールアドレスに対応するユーザ（入力メールアドレスを有する携帯端末３（入力メールアドレス宛てのメールを受信する携帯端末３））に送信しない構成である。
【０２１１】
図１７は、本変形例に係る保存忘れ通知処理Ｓ１５ｂのフローチャートを示す図である。
【０２１２】
図９に示す保存忘れ通知処理Ｓ１５と異なる工程について以下に説明する。保存期間判定部２２４ａが、撮影画像の残存保存期間が所定の期間より短いと判定した場合（ステップＳ１５１においてＹＥＳの場合）、保存期間判定部２２４ａは、当該撮影画像に対応するシールＩＤをアドレス数判定部２２４ｂに出力する。アドレス数判定部２２４ｂは受け取ったシールＩＤに対して２つ以上の対応するメールアドレスがあるか否かを判定する（ステップＳ１５５）。保存期間判定部２２４ａが受け取ったシールＩＤに対して２つ以上の対応するメールアドレスがあると判定した場合（ステップＳ１５５においてＹＥＳの場合）、メールアドレス数が２つ以上あるという情報とシールＩＤとを保存状態判定部２２４ｃに出力する。
【０２１３】
保存状態判定部２２４ｃは、メールアドレス数が２つ以上あるという情報とシールＩＤとを受け取ると、当該複数のメールアドレスのうち少なくとも１つのメールアドレスに対応するユーザによって撮影画像が各ユーザ用の記憶領域に保存済であるか否かを判定する（ステップＳ１５６）。判定の詳細については上述したためここでの説明を省略する。保存状態判定部２２４ｃが、当該複数のメールアドレスのうち少なくとも１つのメールアドレスに対応するユーザによって撮影画像が保存済であると判定した場合（ステップＳ１５６においてＹＥＳの場合）、保存忘れ通知処理は終了する。また、保存状態判定部２２４ｃが、当該複数のメールアドレスのうち少なくとも１つのメールアドレスに対応するユーザによって撮影画像が各ユーザ用の記憶領域に保存済でないと判定した場合（ステップＳ１５６においてＮＯの場合）、保存状態判定部２２４ｃは、当該シールＩＤに対応するメールアドレスを一時保存部２４１から取得し、会員状態判定部２２４ｄに出力する。次に、上述したステップＳ１５３に移行する。
【０２１４】
なお、保存期間判定部２２４ａが受け取ったシールＩＤに対して２つ以上の対応するメールアドレスがないと判定した場合（ステップＳ１５５においてＮＯの場合）、ステップＳ１５２に移行する。
【０２１５】
すなわち、本変形例に係る管理サーバ２においては、上記受信部２２１は、上記コンテンツと対応付けられている異なる複数の上記メールアドレスを受信し、上記保存状態判定部２２４ｃは、撮影画像と対応付けられている異なる複数の上記メールアドレスのうち少なくとも１つのメールアドレスに対応するユーザの携帯端末３の指示によって上記撮影画像が各ユーザ用の記憶領域に保存されたか否かを判定し、上記保存状態判定部２２４ｃが、異なる複数の上記メールアドレスのうち少なくとも１つのメールアドレスに対応するユーザの携帯端末３の指示によって上記撮影画像が各ユーザ用の記憶領域に保存されたと判定した場合、上記送信部２２６がいずれのメールアドレス宛てにも上記コンテンツの保存状態を通知するメールを送信しなくてもよい。
【０２１６】
上記の構成によれば、撮影画像に対応しているメールアドレスに対応する何れか１つの携帯端末３が、撮影画像が各ユーザ用の記憶領域に保存を指示した場合において、保存状態を通知するメールをいずれのメールアドレス宛てにも送信しないことができる。すなわち、すでにいずれかのユーザによってユーザ用の記憶領域に保存された撮影画像については、撮影画像の保存状態を通知するメールを送信しない。そのため、上記通知メールを必要としないユーザに、上記通知メールを受け取ることによる煩わしさを感じさせずにすむことができる。
【０２１７】
（変形例３）
本発明の一変形例について図１８に基づいて説明すれば以下のとおりである。なお、説明の便宜上、前記実施形態および変形例にて説明した部材と同じ機能を有する部材については、同じ符号を付記し、その説明を省略する。
【０２１８】
本変形例は、保存忘れ通知処理の他の一変形例である。
【０２１９】
本変形例は、保存忘れ通知処理の一変形例であり、撮影画像に対応する複数の異なる入力メールアドレスがあり、撮影画像をユーザ用の記憶領域に保存済でないユーザ（携帯端末３のメールアドレス宛て）に保存忘れ通知メールを送信する構成である。
【０２２０】
図１８は、本変形例に係る保存忘れ通知処理Ｓ１５ｃのフローチャートを示す図である。
【０２２１】
本変形例に係る保存忘れ通知処理Ｓ１５ｃにおいて、図１７に示す保存忘れ通知処理Ｓ１５ｂと異なる工程について以下に説明する。
【０２２２】
保存期間判定部２２４ａが受け取ったシールＩＤに対して２つ以上の対応するメールアドレスがあると判定した場合（ステップＳ１５５においてＹＥＳの場合）、メールアドレス数が２つ以上あるという情報とシールＩＤとを保存状態判定部２２４ｃに出力する。
【０２２３】
保存状態判定部２２４ｃは、メールアドレス数が２つ以上あるという情報とシールＩＤとを受け取ると、当該複数のメールアドレスに対応するユーザのうち撮影画像を各ユーザ用の記憶領域に保存済でないユーザがいるか否かを判定する（ステップＳ１５７）。判定の詳細については上述したためここでの説明を省略する。保存状態判定部２２４ｃが、当該複数のメールアドレスに対応するユーザのうち撮影画像を各ユーザ用の記憶領域に保存済でないユーザいると判定した場合（ステップＳ１５７においてＹＥＳの場合）、保存状態判定部２２４ｃは、当該保存済でないユーザに対応するメールアドレスを一時保存部２４１から取得し、会員状態判定部２２４ｄに出力する。次に、上述したステップＳ１５３に移行する。
【０２２４】
また、当該複数のメールアドレスに対応するユーザうち撮影画像を各ユーザ用の記憶領域に未保存のユーザがいないと判定した場合（ステップＳ１５７においてＮＯの場合）、保存忘れ通知処理Ｓ１５ｃは終了する。
【０２２５】
すなわち、本変形例に係る管理サーバ２においては、上記受信部２２１は、撮影画像と対応付けられている異なる複数の上記メールアドレスを受信し、保存状態判定部２２４ｃは、上記撮影画像と対応付けられている異なる複数の上記メールアドレスに対応するそれぞれのユーザの携帯端末３からの指示によって上記撮影画像が各ユーザ用の記憶領域に保存されたか否かを上記携帯端末３ごとに判定し、上記送信部２２６が上記撮影画像に対して保存を指示していない上記携帯端末３の上記メールアドレス宛てに上記撮影画像の保存状態を通知するメールを送信してもよい。
【０２２６】
上記の構成によれば、保存する指示をしていない携帯端末３のメールアドレス宛てに、撮影画像の保存状態を通知するメールを送信する。すなわち、上記撮影画像において保存を指示していないメールアドレスに対応する携帯端末３（言い換えれば、保存状態を通知するメールの送信が必要なユーザ）に対して、保存状態を通知するメールが送信される。よって、ユーザによる保存忘れの可能性がある携帯端末３のみに通知メールを送信することができる。
【０２２７】
なお、本変形例に係る管理サーバ２において、上記受信部２２１は、撮影画像と対応付けられている異なる複数の上記メールアドレスを受信し、保存状態判定部２２４ｃは、上記撮影画像と対応付けられている異なる複数の上記メールアドレスに対応するそれぞれのユーザによって上記撮影画像が各ユーザ用の記憶領域に保存されたか否かをユーザごとに判定し、上記送信部２２６は、上記撮影画像を上記ユーザ用の記憶領域に保存していないユーザに対応するメールアドレス宛てに上記撮影画像の保存状態を通知するメールを送信してもよい。
【０２２８】
（変形例４）
本発明の一変形例について図１９に基づいて説明すれば以下のとおりである。
なお、説明の便宜上、前記実施形態にて説明した部材と同じ機能を有する部材については、同じ符号を付記し、その説明を省略する。
【０２２９】
本変形例は、保存忘れ通知処理の一変形例であり、入力メールアドレスのユーザ以外のユーザ（入力メールアドレスを有する携帯端末３）が撮影画像をユーザ用の記憶領域に保存済の場合、保存忘れ通知メールを送信しない構成である。
【０２３０】
図１９は、保存忘れ通知処理Ｓ１５ｄのフローチャートを示す図である。
【０２３１】
図９に示す保存忘れ通知処理Ｓ１５と異なる工程について以下に説明する。
【０２３２】
撮影画像が各ユーザ用の記憶領域に保存済でない場合（ステップＳ１５２においてＮＯの場合）、保存状態判定部２２４ｃは、さらに、入力されたメールアドレス以外のユーザが当該撮影画像を各ユーザ用の記憶領域に保存済であるか否かを判定する（ステップＳ１５８）。
【０２３３】
入力されたメールアドレス以外のユーザが当該撮影画像を各ユーザ用の記憶領域に保存済である場合（ステップＳ１５８においてＹＥＳの場合）、保存忘れ通知処理Ｓ１５ｄは終了する。また、入力されたメールアドレス以外のユーザが当該撮影画像を各ユーザ用の記憶領域に保存済でない場合（ステップＳ１５８においてＮＯの場合）、保存状態判定部２２４ｃは、当該シールＩＤに対応するメールアドレスを一時保存部２４１から取得し、会員状態判定部２２４ｄに出力する。次に、上述したステップＳ１５３に移行する。
【０２３４】
すなわち、本発明に係る管理サーバ２においては、保存状態判定部２２４ｃが、さらに、撮影画像と対応付けられているメールアドレスの携帯端末３（メールアドレス宛てのメールを受信する携帯端末３）と異なる他の携帯端末３の指示によって上記撮影画像が各ユーザ用の記憶領域に保存されたか否かを判定し、保存状態判定部２２４ｃが、上記撮影画像と対応付けられているメールアドレスの携帯端末３と異なる他の携帯端末３の指示によって上記撮影画像が各ユーザ用の記憶領域に保存されたと判定した場合、送信部２２６がいずれのメールアドレス宛てにも上記撮影画像の保存状態を通知するメールを送信しなくてもよい。
【０２３５】
上記の構成によれば、撮影画像に対応しているメールアドレスのユーザ以外のユーザかが、各ユーザ用の記憶領域に撮影画像を保存する指示した場合において、保存状態を通知するメールをいずれのユーザにも送信しないことができる。すなわち、すでにいずれかのユーザによってユーザ用の記憶領域に保存された撮影画像については、撮影画像の保存状態を通知するメールを送信しないので、上記通知メールを必要としないユーザに、上記通知メールを受け取ることによる煩わしさを感じさせずにすむことができる。
【０２３６】
なお、本発明に係る管理サーバ２において、保存状態判定部２２４ｃは、さらに、撮影画像と対応付けられているメールアドレスに対応するユーザと異なる他のユーザによって上記撮影画像が各ユーザ用の記憶領域に保存されたか否かを判定し、保存状態判定部２２４ｃが、上記撮影画像と対応付けられているメールアドレスに対応するユーザと異なる他のユーザによって上記撮影画像が各ユーザ用の記憶領域に保存されたと判定した場合、送信部２２６が撮影画像と対応付けられているいずれのメールアドレス宛てにも上記撮影画像の保存状態を通知するメールを送信しなくてもよい。
【０２３７】
（変形例５）
本発明の一変形例について図２０に基づいて説明すれば以下のとおりである。
なお、説明の便宜上、前記実施形態にて説明した部材と同じ機能を有する部材については、同じ符号を付記し、その説明を省略する。
【０２３８】
本変形例は、保存忘れ通知処理の一変形例であり、ユーザと一緒にプレイした他のユーザが当該プレイで生成された撮影画像を保存している場合、上記ユーザに対して当該プレイ内で生成された撮影画像についての保存忘れ通知メールを送信しない構成である。
【０２３９】
対のシールＩＤについては、上述したのでここでの説明を省略する。
【０２４０】
図２０は、保存忘れ通知処理Ｓ１５ｅのフローチャートを示す図である。
【０２４１】
図９に示す保存忘れ通知処理Ｓ１５と異なる工程について以下に説明する。
【０２４２】
撮影画像が各ユーザ用の記憶領域に保存済でない場合（ステップＳ１５２においてＮＯの場合）、保存状態判定部２２４ｃは、さらに、当該撮影画像を示すシールＩＤと同一プレイの他のシールＩＤが示す撮影画像が各ユーザ用の記憶領域に保存済であるか否かを判定する（ステップＳ１５９）。なお、同一プレイ内で生成された各シールＩＤは、プレイを特定する情報は同一で、それ以外の情報が異なるため、対になるシールＩＤと表現することもできる。
【０２４３】
上記他のシールＩＤが示す撮影画像が各ユーザ用の記憶領域に保存済である場合（ステップＳ１５９においてＹＥＳの場合）、保存忘れ通知処理Ｓ１５ｅは終了する。また、上記他のシールＩＤに対応する撮影画像が各ユーザ用の記憶領域に保存済でない場合（ステップＳ１５９においてＮＯの場合）、保存状態判定部２２４ｃは、上記シールＩＤに対応するメールアドレスを一時保存部２４１から取得し、会員状態判定部２２４ｄに出力する。次に、上述したステップＳ１５３に移行する。
【０２４４】
すなわち、本変形例に係る管理サーバ２においては、受信部２２１が撮影画像および当該撮影画像と同一プレイ内で生成された他の撮影画像を受信し、画像一時保存実行部２２２が上記撮影画像および上記他の撮影画像を一時保存部２４１に一時的に保存し、保存状態判定部２２４ｃが、上記他の撮影画像が各ユーザ用の記憶領域に保存されていると判定した場合に、送信部２２６が上記撮影画像と対応しているメールアドレス宛てに、上記撮影画像の保存状態を通知するメールを送信しなくてもよい。
【０２４５】
上記の構成によれば、同一プレイで生成された他の撮影画像が保存されている場合においては、撮影画像に対応したメールアドレス宛てに通知メールは送信されない。
【０２４６】
ここで、同一プレイ内で生成された各シールＩＤの示す撮影画像は、互いに全てが同一の画像であってもよいし、互いに全て異なる画像であってもよいし、一部が同一の画像であってもよい。
【０２４７】
また、同一プレイで生成された他の撮影画像が保存されている場合は、一緒にプレイした他のユーザが当該プレイ内で生成された撮影画像の一部またはすべてを各ユーザ用の記憶領域に保存していることになる。
【０２４８】
よって、ユーザと一緒にプレイした他のユーザが当該プレイで生成された撮影画像が既に保存されているため、当該プレイで生成された撮影画像の未保存の通知を必要としないユーザに対しての通知メールの送信を防ぐことができる。
【０２４９】
（変形例６）
本発明の一変形例について図２１および図２２に基づいて説明すれば以下のとおりである。なお、説明の便宜上、前記実施形態にて説明した部材と同じ機能を有する部材については、同じ符号を付記し、その説明を省略する。
【０２５０】
本変形例では、図２１に示すように、管理サーバ２が、さらに課金額決定部２２９を備えている。課金額決定部２２９は、ユーザの課金額を決定するものである。
【０２５１】
具体的には、課金額決定部２２９は、ユーザ指示実行部２２７から撮影画像を保存したユーザと、保存した撮影画像の枚数とを示す通知を受けて、ユーザがユーザ用の記憶領域に保存する撮影画像の枚数に応じて、当該ユーザに対する課金額を決定してもよい。例えば、課金額決定部２２９は、保存する撮影画像の１枚当たりの金額を設定し、各ユーザの課金額を算出してもよい。なお、課金額決定部２２９は、保存情報格納部２４２に格納されている保存情報を参照して、ユーザの課金額を決定してもよい。
【０２５２】
また、課金額決定部２２９は、会員状態情報格納部２４３に格納されている会員状態情報を参照して、ユーザの会員の種類に応じて、当該ユーザに対する課金額を決定してもよい。例えば、課金額決定部２２９は、有料会員のユーザに対して、予め定めた金額を、月額の課金額として決定してもよい。
【０２５３】
また、課金額決定部２２９は、ユーザの属性またはユーザの種類に応じて、ユーザの課金額を決定してもよい。例えば、ユーザの職業が「中学生」の場合、課金額を「０円（無料）」とし、「高校生」の場合、課金額を「３００円」としてもよい。この場合、中学生の時に（有料）会員登録したユーザが高校生になった場合、課金額３００円を支払いこのまま有料会員を継続するか、無料会員に降格するか、退会するかを選択させる。退会した場合は、各ユーザ用の記憶領域に保存した撮影画像を全て消去する。また、課金額決定部２２９は、「社会人」の課金額を「１」としたとき、「学生（未就業）」は課金額を「０．５」としてもよい。
【０２５４】
なお、課金額決定部２２９は、マーケティングデータに基づいて、ユーザの属性またはユーザの種類に応じた課金額の多寡を決定してもよい。
【０２５５】
また、保存忘れ通知メールに、ユーザの属性またはユーザの種類に応じた課金額を掲載してもよい。これにより、ユーザの属性または種類毎に、生活水準に合わせた課金額を提示することができ、ユーザの撮影画像の保存を促進することができる。
【０２５６】
次に、管理サーバ２による課金額決定処理について図１９に基づいて説明する。図１９は、管理サーバ２が実行する課金額決定処理の一例を示すフローチャートである。
【０２５７】
図１９に示すように、まず、受信部２２１は、携帯端末３から、撮影画像を各ユーザ用の記憶領域に保存する指示を受信する（Ｓ４１）。ユーザ指示実行部２２７は、受信部２２１が受信した指示に基づいて、撮影画像を各ユーザ用の記憶領域に保存する（Ｓ４２）。ユーザ指示実行部２２７は、撮影画像を各ユーザ用の記憶領域に保存すると、撮影画像を保存したユーザと、保存した撮影画像の枚数とを課金額決定部２２９に通知する。そして、課金額決定部２２９は、ユーザ指示実行部２２７からの通知に基づいて、ユーザに対する課金額を決定する（Ｓ４３）。
【０２５８】
なお、Ｓ４２において、ユーザ指示実行部２２７は、撮影画像を各ユーザ用の記憶領域に保存した後、保存情報を更新して、保存情報を更新したことを課金額決定部２２９に通知してもよい。この場合、Ｓ４３において、課金額決定部２２９は、ユーザ指示実行部２２７から上記通知を受けると、保存情報格納部２４２に格納されている保存情報を参照して、ユーザの課金額を決定してもよい。
【０２５９】
（変形例７）
管理サーバ２の負荷を軽減するために、当日の保存忘れ通知メールを、その当日に写真シール作成装置４を利用したユーザに対して一斉に配信する例を説明する。
【０２６０】
まず、管理サーバ２は、１日における所定の時間に写真シール作成装置４から当日撮影された撮影画像、シールＩＤ、メールアドレスおよび属性情報を収集する。例えば、写真シール作成装置４の利用時間（撮影時間）帯のピークが１４時〜１６時である場合、管理サーバ２は、利用時間帯のピークの中央値である１５時に写真シール作成装置４から撮影画像、シールＩＤ、メールアドレスおよび属性情報を収集してよい。この場合、管理サーバ２は、当日の写真シール作成装置４の稼働開始時間（例えば９時）から、データ収集時間の１５時までに生成された撮影画像、シールＩＤ、メールアドレスおよび属性情報を収集する。
【０２６１】
なお、管理サーバ２は、撮影時刻が１５時（データ収集時間）までの撮影画像と、それに対応するシールＩＤ、メールアドレスおよび属性情報とを写真シール作成装置４から収集してもよいし、１５時までに全て生成された（１５時までにゲームが全て終了した）撮影画像、シールＩＤ、メールアドレスおよび属性情報を写真シール作成装置４から収集してもよい。
【０２６２】
また、データ収集時間を、ユーザ（またはユーザの種類）毎に変更してもよい。例えば、データ収集時間を各ユーザまたはユーザの種類に応じた利用時間帯のピークに設定してもよい。
【０２６３】
そして、管理サーバ２は、９時から１５時までに写真シール作成装置４を利用したユーザへ配信するメールを示すメール配信リストを作成する。そのため、管理サーバ２は、メールを配信するユーザの種類を決定し、各ユーザの配信時間を決定する。ここで、管理サーバ２の処理負荷を軽減するため、配信時間はデータ収集時間を基準時間とする差分時間で表す。
【０２６４】
管理サーバ２は、作成したメール配信リストに基づいて、各ユーザに合わせたタイミングで、当日の保存忘れ通知メールを一斉配信する。
【０２６５】
ここで、上記の例の場合、１５時以降に写真シール作成装置４を利用したユーザに対しては、当日の保存忘れ通知メールを送信しなくてもよい。また、１５時以降に写真シール作成装置４を利用したユーザに対しては、翌日に保存忘れ通知メールを送信してもよい。すなわち、この場合、管理サーバ２は、前日の１５時〜当日の１５時までに生成された撮影画像、シールＩＤ、メールアドレスおよび属性情報を収集する。
【０２６６】
また、データ収集時間を１５時および写真シール作成装置４の稼働終了時間（例えば２２時）とし、１５時〜２２時に利用したユーザのうち、ユーザに合わせた配信時間が２２時以降のユーザに対してのみ、当日の保存忘れ通知メールを一斉配信してもよい。
【０２６７】
（変形例８）
ユーザが有料会員の場合、管理サーバ２は上記通知メールを送信しなくてもよい。
【０２６８】
有料会員は、撮影画像を取得することを目的に課金している（すなわち、画像取得が習慣付いている）ため、撮影画像を取得し忘れる確率がきわめて低い。また、撮影画像の取得方法も既に知っている。したがって、通知メールが送られることによって、かえって煩い印象をユーザに与えてしまうことを避けることができる。
【０２６９】
一方、非会員および無料会員に対しては、上記通知メールを送信することにより、画像保存の動機付けに加え、有料課金への動機付けも与えることができる。なぜならば、非会員および無料会員は、撮影画像を保存する習慣がないユーザであったり、有料会員の特典（撮影画像を全部保存できること）を知らない場合がある。
【０２７０】
（変形例９）
管理サーバ２は、即時の撮影画像保存案内メールを送信することにより、管理サーバ２が保持しているメールアドレスが有効であるか否かの確認を行ってもよい。すなわち、即時の撮影画像保存案内メールにメールアドレスの存在確認の機能を持たせてもよい。
【０２７１】
具体的には、管理サーバ２は、メールの配信失敗数の増大を抑制するため、撮影画像保存案内メールが宛先不明等で送信できなかった場合、保存情報格納部２４２に保存したメールアドレスを削除し、当該メールアドレス宛てに以降配信される予定の通知メールの配信を停止してもよい。
【０２７２】
〔ソフトウェアによる実現例〕
管理サーバ２の制御ブロック（特に判定部２２４）は、集積回路（ＩＣチップ）等に形成された論理回路（ハードウェア）によって実現してもよいし、ＣＰＵ（Central Processing Unit）を用いてソフトウェアによって実現してもよい。
【０２７３】
後者の場合、管理サーバ２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【産業上の利用可能性】
【０２７４】
本発明は、写真シール作成装置がユーザを撮影して生成した画像を、当該ユーザのメールアドレスと対応付けて管理する管理サーバに幅広く利用できる。
【符号の説明】
【０２７５】
１        メール送信システム
２        管理サーバ（管理装置）
３        携帯端末（通信端末）
４        写真シール作成装置（コンテンツ提供装置）
２２１    受信部
２２２    画像一時保存実行部（実行部）
２２４ａ  保存期間判定部
２２４ｃ  保存状態判定部
２２６    送信部
２２７    ユーザ指示実行部
２２９    課金額決定部
２３０    ユーザ種類決定部
２３１    配信時間決定部（配信タイミング決定部）
２４１    一時保存部
Ｓ１１    受信ステップ
Ｓ１３    実行ステップ
Ｓ１５２  保存状態判定ステップ
Ｓ１５４  配信タイミング決定ステップ
Ｓ１５５  送信ステップ
【要約】
【課題】コンテンツの保存を行っていないユーザに対するコンテンツの保存忘れを効果的に防止する。
【解決手段】ユーザに応じた配信タイミングを決定し、コンテンツが各ユーザ用の記憶領域に保存されていないと判定された場合、決定した配信タイミングで、上記コンテンツに対応するメールアドレス宛てにコンテンツの保存状態を通知するメールを送信する。
【選択図】図１【図１】
0005935914.tif 000002
【図２】
0005935914.tif 000003
【図３】
0005935914.tif 000004
【図４】
0005935914.tif 000005
【図５】
0005935914.tif 000006
【図６】
0005935914.tif 000007
【図７】
0005935914.tif 000008
【図８】
0005935914.tif 000009
【図９】
0005935914.tif 000010
【図１０】
0005935914.tif 000011
【図１１】
0005935914.tif 000012
【図１２】
0005935914.tif 000013
【図１３】
0005935914.tif 000014
【図１４】
0005935914.tif 000015
【図１５】
0005935914.tif 000016
【図１６】
0005935914.tif 000017
【図１７】
0005935914.tif 000018
【図１８】
0005935914.tif 000019
【図１９】
0005935914.tif 000020
【図２０】
0005935914.tif 000021
【図２１】
0005935914.tif 000022
【図２２】
0005935914.tif 000023